(57)【要約】【課題】複数の進入口の開口の大きさを共通の可動部材で変化させて、コストを削減するとともに遊技者の遊技への興趣を高めることができる遊技台を提供することである。【解決手段】遊技台において、遊技球が進入可能な開口を有する複数の進入口と、前記複数の進入口のそれぞれの開口の大きさを変化させる開口変化手段と、前記開口変化手段を駆動する駆動手段と、を備えた。【選択図】図７
2009050490.tif 000002
【特許請求の範囲】
【請求項１】
遊技球が進入可能な開口を有する複数の進入口と、
前記複数の進入口のそれぞれの開口の大きさを変化させる開口変化手段と、
前記開口変化手段を駆動する駆動手段と、
を備えたことを特徴とする遊技台。
【請求項２】
請求項１に記載の遊技台であって、
前記複数の進入口は第１進入口と第２進入口とを含み、
前記第１進入口の開口の大きさと第２進入口の開口の大きさは、前記開口変化手段が第１状態のときと第２状態のときとで異なる
ことを特徴とする遊技台。
【請求項３】
請求項２に記載の遊技台であって、
前記第１状態における前記第１進入口の開口の大きさは、前記第２状態における前記第１進入口の開口の大きさよりも小さく、
前記第１状態における前記第２進入口の開口の大きさは、前記第２状態における前記第２進入口の開口の大きさよりも大きい
ことを特徴とする遊技台。
【請求項４】
請求項３に記載の遊技台であって、
前記第１状態における前記第１進入口の開口の大きさは、前記第１状態における前記第２進入口の開口の大きさよりも小さい
ことを特徴とする遊技台。
【請求項５】
請求項２乃至請求項４の何れかに記載の遊技台であって、
前記第２進入口の開口は、常に遊技球が進入可能である
ことを特徴とする遊技台。
【請求項６】
請求項１乃至請求項５の何れかに記載の遊技台であって、
前記開口変化手段は、前記複数の進入口の開口に遊技球を誘導しない
ことを特徴とする遊技台。
【請求項７】
請求項２乃至請求項６の何れかに記載の遊技台であって、
前記第２状態における前記第１進入口の開口の大きさは、前記第２状態における前記第２進入口の開口の大きさと同じである
ことを特徴とする遊技台。
【請求項８】
請求項２乃至請求項７の何れかに記載の遊技台であって、
前記開口変化手段が前記第１状態であるときの前記第１進入口の開口と前記第２進入口の開口とを合わせた大きさは、前記開口変化手段が前記第２状態であるときの前記第１進入口の開口と前記第２進入口の開口とを合わせた大きさ以上の大きさである
ことを特徴とする遊技台。
【請求項９】
請求項２記載の遊技台であって、
前記第１進入口の開口の大きさと前記第２進入口の開口の大きさとは、前記開口変化手段が前記第１状態のときよりも前記第２状態のときの方が小さい
ことを特徴とする遊技台。
【発明の詳細な説明】
【技術分野】
【０００１】
本発明は、スロットマシン（パチスロ機）やパチンコ機などに代表される遊技台に関する。
【背景技術】
【０００２】
従来、パチンコ機などの遊技台では、遊技盤の遊技領域に、遊技球が入賞可能な始動口と、複数個の図柄を可変表示可能な可変表示領域を備え、始動口に遊技球が入賞すると、可変表示領域の図柄を所定時間変動して、変動後の図柄が予め定めた特定図柄の組み合わせである特定態様になった場合に、遊技者に有利な遊技状態（以下、大当り遊技状態という）を発生させるようにしている（たとえば、特許文献１参照）。
【０００３】
上記従来の遊技台では、第１始動口の開口の大きさを第１の誘導部材によって変化させ、第２始動口の開口の大きさを第２の誘導部材によって変化させている。
【０００４】
【特許文献１】特開２００６−１０２３５１号公報
【発明の開示】
【発明が解決しようとする課題】
【０００５】
しかしながら、上記従来の遊技台は、各進入口に各可動部材が対応して可動するため、部品点数が多くなってコストが掛かるとともに可動部材の動きに面白みがないという問題があった。
【０００６】
本発明は上記の点にかんがみてなされたもので、複数の進入口の開口の大きさを共通の可動部材で変化させて、コストを削減するとともに遊技者の遊技への興趣を高めることができる遊技台を提供することを目的とする。
【課題を解決するための手段】
【０００７】
本発明は上記の目的を達成するために、遊技台において、遊技球が進入可能な開口を有する複数の進入口と、前記複数の進入口のそれぞれの開口の大きさを変化させる開口変化手段と、前記開口変化手段を駆動する駆動手段と、を備えたことを特徴とする。
【０００８】
また本発明は、請求項１に記載の遊技台であって、前記複数の進入口は第１進入口と第２進入口とを含み、前記第１進入口の開口の大きさと第２進入口の開口の大きさは、前記開口変化手段が第１状態のときと第２状態のときとで異なることを特徴とする。
【０００９】
また本発明は、請求項２記載の遊技台であって、前記第１状態における前記第１進入口の開口の大きさは、前記第２状態における前記第１進入口の開口の大きさよりも小さく、前記第１状態における前記第２進入口の開口の大きさは、前記第２状態における前記第２進入口の開口の大きさよりも大きいことを特徴とする。
【００１０】
また本発明は、請求項３記載の遊技台であって、前記第１状態における前記第１進入口の開口の大きさは、前記第１状態における前記第２進入口の開口の大きさよりも小さいことを特徴とする。
【００１１】
また本発明は、請求項２乃至請求項４の何れかに記載の遊技台であって、前記第２進入口の開口は、常に遊技球が進入可能であることを特徴とする。
【００１２】
また本発明は、請求項１乃至請求項５の何れかに記載の遊技台であって、前記開口変化手段は、前記複数の進入口の開口に遊技球を誘導しないことを特徴とする。
【００１３】
また本発明は、請求項２乃至請求項６の何れかに記載の遊技台であって、前記第２状態における前記第１進入口の開口の大きさは、前記第２状態における前記第２進入口の開口の大きさと同じであることを特徴とする。
【００１４】
また本発明は、請求項２乃至請求項７の何れかに記載の遊技台であって、前記開口変化手段が前記第１状態であるときの前記第１進入口の開口と前記第２進入口の開口とを合わせた大きさは、前記開口変化手段が前記第２状態であるときの前記第１進入口の開口と前記第２進入口の開口とを合わせた大きさ以上の大きさであることを特徴とする。
【００１５】
また本発明は、請求項２記載の遊技台であって、前記第１進入口の開口の大きさと前記第２進入口の開口の大きさとは、前記開口変化手段が前記第１状態のときよりも前記第２状態のときの方が小さいことを特徴とする。
【発明の効果】
【００１６】
本発明によれば、複数の進入口の開口の大きさを共通の可動部材で変化させて、コストを削減できるとともに遊技者の遊技への興趣を高めることができる。
【発明を実施するための最良の形態】
【００１７】
以下、図面を用いて、本発明の実施例１に係るパチンコ機（遊技台）について詳細に説明する。
【実施例１】
【００１８】
＜全体構成＞
まず、図１を用いて、本発明の実施例１に係るパチンコ機１００の全体構成について説明する。なお、同図はパチンコ機１００を正面（遊技者側）から見た状態を示す略示正面図である。
【００１９】
パチンコ機１００は、遊技領域１０４を覆う閉状態および該遊技領域１０４を開放する開状態のうちの一方から他方に開閉状態を変化可能なガラス枠１５１と、このガラス枠１５１の奥側に視認可能に配設された遊技盤（盤面）１０２とを備えている。この遊技盤１０２には、遊技球（以下、単に球と称する場合がある。）を遊技盤１０２の中央に位置する遊技領域１０４に案内するための外レール１０６および内レール１０８を配設している。
【００２０】
遊技領域１０４の中央やや上側には、横長の装飾図柄表示装置１１０を配設している。この装飾図柄表示装置１１０は、装飾図柄（図３（ｂ）参照）を表示するための表示装置であり、本実施例では液晶表示装置によって構成する。この装飾図柄表示装置１１０は、たとえば左図柄表示領域、中図柄表示領域、右図柄表示領域の３つの表示領域に分割され、各々の表示領域に異なった装飾図柄を表示することを可能としている。
【００２１】
また、この装飾図柄表示装置１１０の前面には、センター役物１６０を配設している。このセンター役物１６０は、装飾図柄表示装置１１０の外周を囲うように枠体１６０ａおよび開閉部材６０１を有し、これによって内部領域１６０ｂを形成して構成されている。
【００２２】
開閉部材６０１は、図示しないモータによって、回転軸６０１ａを回転軸にして矢印で示すように回動可能に設けられており、閉じて内部領域１６０ｂに球が入らないようにされた状態と、開いて内部領域１６０ｂに球が入るようにされた状態とを選択可能に構成されている。
【００２３】
開閉部材６０１が開いた状態のときに内部領域１６０ｂに入った球は、下方の枠体１６０ａの上面を転がって、回転体６０３のほうへと誘導される。
【００２４】
回転体６０３は側面にＶ入賞口６０４および複数のアウト口６０５を有し、この回転体６０３は、Ｖ入賞口６０４および複数のアウト口６０５のそれぞれが順々に、内部領域１６０ｂに入ってきた球のほうに向くようにモータ（図示省略）によって回転させられる。
【００２５】
この回転体６０３は、モータによって常に回転させられるようにしてもよいし、所定のタイミングにだけ回転させられるようにしてもよい。また、回転速度も常に一定であってもよいし、所定のタイミングにより変化させてもよい。
【００２６】
本実施例では、回転体６０３の側面に設けられた複数の口のうち１つだけがＶ入賞口６０４であり、他の複数の口はすべてアウト口６０５である。
【００２７】
枠体１６０ａによって回転体６０３に誘導されてきた球は、回転体６０３の回転向きに応じて、Ｖ入賞口６０４および複数のアウト口６０５のいずれかに入球する。
【００２８】
Ｖ入賞口６０４への入球は所定の球検出センサによって検出される。また、Ｖ入賞口６０４に入球した球は、パチンコ機１００の裏側に誘導された後、遊技島側に排出される。また、アウト口６０５への入球も、別の所定の球検出センサによって検出され、パチンコ機１００の裏側に誘導された後、遊技島側に排出される。
【００２９】
センター役物１６０の内部領域１６０ｂであって回転体６０３の上部には、普通図柄表示装置１１２と、特別図柄表示装置１１４と、普通図柄保留ランプ１１６と、特別図柄保留ランプ１１８と、高確中ランプ１２０とを配設している。なお、以下、普通図柄を普図、特別図柄を特図と称する場合がある。
【００３０】
普図表示装置１１２は、普図（図３（ｃ）参照）の表示を行うための表示装置であり、本実施例では７セグメントＬＥＤによって構成される。
【００３１】
特図表示装置１１４は、特図（図３（ａ）参照）の表示を行うための表示装置であり、本実施例では７セグメントＬＥＤによって構成される。
【００３２】
普図保留ランプ１１６は、保留している普図変動遊技（詳細は後述）の数を示すためのランプであり、本実施例では、普図変動遊技の開始を２つまで保留することを可能としている。
【００３３】
特図保留ランプ１１８は、保留している特図変動遊技（詳細は後述）の数を示すためのランプであり、本実施例では、特図変動遊技の開始を４つまで保留することを可能としている。
【００３４】
高確中ランプ１２０は、遊技状態が高確率状態であること、または高確率状態になることを示すためのランプであり、遊技状態を低確率状態から高確率状態にする場合に点灯し、高確率状態から低確率状態にする場合に消灯する。
【００３５】
また、遊技領域１０４には、一般入賞口１２２と、普図始動口１２４と、第１特図始動口１２６と、第２特図始動口１２８と、役物始動口１２９と、可変入賞口１３０とを配設している。
【００３６】
一般入賞口１２２は、本実施例では右側に２つ、左側に２つの合計４つを配設しており、この一般入賞口１２２への入球を所定の球検出センサ（図示省略）が検出した場合（一般入賞口１２２に入賞した場合）、後述する払出装置１５４を駆動し、所定の個数（本実施例では１０個）の球を賞球として後述する貯留皿１４４に排出する。貯留皿１４４に排出された球は遊技者が自由に取り出すことが可能であり、これらの構成により、入賞に基づいて賞球を遊技者に払い出すようにしている。
【００３７】
なお、一般入賞口１２２に入球した球は、パチンコ機１００の裏側に誘導された後、遊技島側に排出される。本実施例では、入賞の対価として遊技者に払い出す球を賞球、遊技者に貸し出す球を貸球と区別して呼ぶ場合があり、賞球と貸球を総称して球（遊技球）と呼ぶ。
【００３８】
普図始動口１２４は、ゲートやスルーチャッカーと呼ばれる、遊技領域１０４の所定の領域を球が通過したか否かを判定するための装置で構成しており、本実施例では右側に１つ、左側に１つの合計２つを配設している。普図始動口１２４を通過した球は一般入賞口１２２に入球した球とは違って、遊技島側に排出されずにそのまま遊技領域１０４を落下する。球が普図始動口１２４を通過したことを所定の球検出センサが検出した場合、パチンコ機１００は、普図表示装置１１２による普図変動遊技を開始する。本実施例では、普図変動遊技の普図当たり抽選処理に当選すると、後述のように開閉部材２００を駆動する。
【００３９】
第１特図始動口１２６は、本実施例では中央に１つだけ配設している。この第１特図始動口１２６への入球を所定の球検出センサが検出した場合、後述する払出装置１５４を駆動し、所定の個数（本実施例では３個）の球を賞球として後述する貯留皿１４４に排出するとともに、特図表示装置１１４による特図変動遊技を開始する。
【００４０】
なお、第１特図始動口１２６に入球した球は、パチンコ機１００の裏側に誘導された後、遊技島側に排出される。
【００４１】
第２特図始動口１２８は、本実施例では第１特図始動口１２６の真下に１つだけ配設している。この第２特図始動口１２８への入球を所定の球検出センサが検出した場合、後述する払出装置１５４を駆動し、所定の個数（本実施例では５個）の球を賞球として後述する貯留皿１４４に排出するとともに、特図表示装置１１４による特図変動遊技を開始する。
【００４２】
なお、第２特図始動口１２８に入球した球は、パチンコ機１００の裏側に誘導された後、遊技島側に排出される。
【００４３】
役物始動口１２９は、本実施例では第２特図始動口１２８の真下に１つだけ配設している。この役物始動口１２９への入球を所定の球検出センサが検出した場合、後述する払出装置１５４を駆動し、所定の個数（本実施例では３個）の球を賞球として後述する貯留皿１４４に排出するとともに、センター役物１６０の開閉部材６０１を開く。この開閉部材６０１の開放は、所定時間（たとえば１．９秒）経過するまで、またはセンター役物１６０内への入球が所定個数に達するまで継続し、その後、閉じられる。
【００４４】
なお、役物始動口１２９に入賞した球は、パチンコ機１００の裏側に誘導された後、遊技島側に排出される。
【００４５】
可変入賞口１３０は、大入賞口またはアタッカーとも呼ばれ、本実施例では遊技領域１０４の中央部下方に１つだけ配設している。この可変入賞口１３０は、開閉自在な扉部材を備え、扉部材の閉鎖中は球の入球が不可能であり、特図変動遊技に当選し、特図表示装置１１４が、たとえば大当たり図柄を停止表示した場合に扉部材が所定の時間間隔（たとえば、開放時間２９秒、閉鎖時間１．５秒）、所定の回数（たとえば１５回）で開閉する。
【００４６】
可変入賞口１３０への入球を所定の球検出センサが検出した場合、後述する払出装置１５４を駆動し、所定の個数（本実施例では１５球）の球を賞球として後述する貯留皿１４４に排出する。
【００４７】
なお、可変入賞口１３０に入球した球は、パチンコ機１００の裏側に誘導された後、遊技島側に排出される。
【００４８】
さらに、これらの入賞口や始動口の近傍には、風車と呼ばれる円盤状の打球方向変換部材１３２や、遊技釘１３４を複数個、配設していると共に、内レール１０８の最下部には、いずれの入賞口や始動口にも入賞しなかった球をパチンコ機１００の裏側に誘導した後、遊技島側に排出するためのアウト口１３６を設けている。
【００４９】
また、本実施例では、第１特図始動口１２６、第２特図始動口１２８および役物始動口１２９の近傍に開閉部材２００を設けている。
【００５０】
遊技盤１０２の下方には、後述する発射モータ４５２によって回動する発射杆１３８と、この発射杆１３８の先端部に取り付けられて球を遊技領域１０４に向けて打ち出す発射槌１４０と、この発射槌１４０によって打ち出された球を外レール１０６に導くための発射レール１４２と、球を一時的に貯留すると共に、貯留している球を順次、発射レール１４２に供給するための貯留皿１４４と、遊技者による押下操作が可能であり、所定の時期にその操作を検出した場合に上述の装飾図柄表示装置１１０などによる演出表示を変化させるためのチャンスボタン１４６とを配設している。
【００５１】
また、発射杆１３８および発射槌１４０の下方には、発射杆１３８を制御して遊技領域１０４に向けた球の発射強度の操作を行うための操作ハンドル１４８を配設している。
【００５２】
このパチンコ機１００は、遊技者が貯留皿１４４に貯留している球を、発射レール１４２の発射位置に供給し、遊技者による操作ハンドル１４８の操作量に応じた強度で発射モータ４５２を駆動し、発射杆１３８および発射槌１４０によって外レール１０６および内レール１０８を通過させて遊技領域１０４に向けて打ち出す。
【００５３】
遊技領域１０４の上部に到達した球は、打球方向変換部材１３２や遊技釘１３４などによって進行方向を変えられながら落下し、入賞口（一般入賞口１２２、可変入賞口１３０）や始動口（第１特図始動口１２６、第２特図始動口１２８、役物始動口１２９）に入賞するか、センター役物１６０内に入球するか、いずれの入賞口や始動口にも入賞することなく、または普図始動口１２４を通過するのみでアウト口１３６に到達する。
【００５４】
図２は、パチンコ機１００を背面側から見た外観斜視図である。
【００５５】
パチンコ機１００の背面上部には、上方に開口した開口部を有し、球を一時的に貯留するための球タンク１５２と、この球タンク１５２の下方に位置し、球タンク１５２の底部に形成した連通孔を通過して落下する球を背面右側に位置する払出装置１５４に導くためのタンクレール１５３とを配設している。
【００５６】
払出装置１５４は、筒状の部材からなり、その内部には、スプロケット１５７と払出センサ１５８とを備えている。
【００５７】
スプロケット１５７は、モータによって回転可能に構成されており、タンクレール１５３を通過して払出装置１５４内に落下した球を一時的に滞留させると共に、図示しないモータを駆動して所定角度だけ回転することにより、一時的に滞留した球を払出装置１５４の下方へ１個ずつ送り出すように構成している。
【００５８】
払出センサ１５８は、スプロケット１５７が送り出した球の通過を検知するためのセンサであり、球が通過しているときにオンの信号を出力し、球が通過していないときはオフの信号を出力する。なお、この払出センサ１５８を通過した球は、図示しない球レールを通過してパチンコ機１００の表側に配設した貯留皿１４４に到達するように構成しており、パチンコ機１００は、この構成により遊技者に対して球の払い出しを行う。
【００５９】
払出装置１５４の左側には、後述する主制御部３００を構成する主基板１６１と、後述する演出制御部３５０を構成するサブ基板１６４とを配設している。また、これら主基板１６１やサブ基板１６４の下方には、後述する発射制御部４５０を構成する発射基板１６６と、後述する電源制御部５００を構成する電源基板１６２と、後述する払出制御部４００を構成する払出基板１６５と、この払出基板１６５に接続したＣＲインターフェース部１６３とを配設している。
【００６０】
＜図柄の種類＞
次に、図３（ａ）〜（ｃ）を用いて、パチンコ機１００の特図表示装置１１４、装飾図柄表示装置１１０、普図表示装置１１２が停止表示する特図、装飾図柄および普図の種類について説明する。
【００６１】
図３（ａ）は、特図表示装置１１４に表示される、特図の停止表示態様の一例を示したものである。
【００６２】
本実施例の特図の停止表示態様には、大当たり図柄である特図１、特別大当たり図柄である特図２、さらに、外れ図柄である特図３の３種類がある。
【００６３】
大当たりに当選した場合の動作は、詳しくは後述するが、可変入賞口１３０の扉部材を、たとえば開放時間２９秒（遊技球が可変入賞口１３０に所定個数入賞した時点で閉鎖するようにしてもよい）、閉鎖時間１．５秒の周期でこれをたとえば２回繰り返す。
【００６４】
なお、以下では低確率状態から確率変動のない大当たりを通常大当たりとも呼び、低確率状態から高確率状態に変動する特別大当たりを確変大当たりとも呼ぶ。
【００６５】
第１特図始動口１２６または第２特図始動口１２８に球が入賞したことを所定の球検出センサが検出したことを条件として特図変動遊技が開始されると、特図表示装置１１４は、７個のセグメントの全点灯と、中央の１個のセグメントの点灯を繰り返す特図の変動表示を行う。
【００６６】
その後、特図の変動開始前に決定した変動時間が経過すると、特図変動遊技（大当たり遊技）の当選を報知する場合には特図１を停止表示し、特図変動遊技（特別大当たり遊技）の当選を報知する場合には特図２を停止表示し、特図変動遊技の外れを報知する場合には特図３を停止表示する。なお、図中の白抜きの部分が消灯するセグメントの場所を示し、黒塗りの部分が点灯するセグメントの場所を示している。
【００６７】
図３（ｂ）は、装飾図柄表示装置１１０に表示される、装飾図柄の一例を示したものである。
【００６８】
本実施例の装飾図柄には、装飾１〜装飾７の７種類がある。
【００６９】
第１特図始動口１２６または第２特図始動口１２８に球が入賞したことを所定の球検出センサが検出したことを条件にして、装飾図柄表示装置１１０の左図柄表示領域、中図柄表示領域、右図柄表示領域の各図柄表示領域に、装飾１→装飾２→装飾３→・・・・装飾６→装飾７→装飾１→・・・の順番で表示を切り替える装飾図柄の変動表示を行う。
【００７０】
その後、特図変動遊技（大当たり、または特別大当たり）の当選を報知する場合には、各図柄表示領域に各当たりに対応する図柄組合せ（本実施例では、同一の数字の装飾図柄の組合せ（たとえば、装飾２−装飾２−装飾２））を停止表示する。なお、大当たりと特別大当たりとは、特別図柄では区別できるが、装飾図柄では（７７７、２２２など）を使うものとし、当たりの種類を明確に報知しない。
【００７１】
なお、各当たりに対応する図柄の組合せを停止表示した場合には、各当たりに対応する遊技を開始する。
【００７２】
一方、外れを報知する場合には、各図柄表示領域に各当たりに対応する図柄組合せ以外の図柄組合せを停止表示した後で、保留している装飾図柄の変動表示があれば、その変動表示を開始する。
【００７３】
図３（ｃ）は、普図表示装置１１２に表示される、普図の停止表示態様の一例を示したものである。
【００７４】
本実施例の普図の停止表示態様には、当たり図柄である普図１および外れ図柄である普図２の２種類がある。
【００７５】
普図始動口１２４を球が通過したことを所定の球検出センサが検出したことを条件として普図表示遊技を開始した場合には、普図表示装置１１２は、７個のセグメントの全点灯と、中央の１個のセグメントの点灯を繰り返す普図の変動表示を行う。また、普図変動遊技の当選を報知する場合には普図１を停止表示し、普図変動遊技の外れを報知する場合には普図２を停止表示する。
【００７６】
普図変動遊技に当選した場合の動作は、詳しくは後述するが、所定時間経過するまで開閉部材２００を駆動する。
【００７７】
＜制御部＞
次に、図４および図５を用いて、このパチンコ機１００の制御部の回路構成について詳細に説明する。
【００７８】
なお、図４は、主制御部、払出制御部、発射制御部および電源制御部の回路ブロック図を示したものであり、図５は、演出制御部の回路ブロック図を示したものである。
【００７９】
パチンコ機１００の制御部は、大別すると、遊技の中枢部分を制御する主制御部３００と、主制御部３００が送信するコマンド信号（以下、単にコマンドと呼ぶ）に応じて、主に演出の制御を行う演出制御部３５０と、主制御部３００が送信するコマンドに応じて、主に遊技球の払い出しに関する制御を行う払出制御部４００と、遊技球の発射制御を行う発射制御部４５０と、パチンコ機１００に供給される電源をパチンコ機１００に搭載した電気部品に送電するための所定の電力を生成する電源制御部５００とによって構成されている。
【００８０】
＜主制御部＞
まず、パチンコ機１００の主制御部３００について説明する。
【００８１】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数などを計測するためのカウンタタイマ３１２と、ＣＰＵ３０４の動作を監視して、基本回路３０２が出力する制御信号を所定時間（本実施例では３２．８ｍｓ）受信しなかった場合に制御回路３０２に初期化信号を送信するためのウォッチドッグタイマ（ＷＤＴ）３１３とを搭載している。
【００８２】
なお、ＲＯＭ３０６やＲＡＭ３０８については他の記憶手段を用いてもよく、この点は後述する演出制御部３５０や払出制御部４００についても同様である。
【００８３】
この基本回路３０２のＣＰＵ３０４は、水晶発信器３１４ｂが出力する所定周期のクロック信号をシステムクロックとして入力して動作する。
【００８４】
また、基本回路３０２には、水晶発信器３１４ａが出力するクロック信号を受信する度に０〜６５５３５の範囲で数値を変動させるハードウェア乱数カウンタとして使用しているカウンタ回路３１６（この回路には２つのカウンタを内蔵しているものとする）と、ガラス枠１５１の開放／閉鎖を検出するガラス枠開放センサやパチンコ機１００の前枠の開放／閉鎖を検出する前枠開放センサや下皿１５０が球で一杯になったことを検出する下皿満タンセンサや各始動口、入賞口の入り口および可変入賞口の内部に設けた球検出センサなどを含む各種センサ３１８が出力する信号を受信してそれの増幅結果や基準電圧との比較結果をカウンタ回路３１６および基本回路３０２に出力するためのセンサ回路３２０と、特図表示装置１１４の表示制御を行うための表示回路３２２と、普図表示装置１１２の表示制御を行うための表示回路３２４と、各種状態表示部３２６（普図保留ランプ１１６、特図保留ランプ１１８、高確中ランプ１１８など）の表示制御を行うための表示回路３２８と、開閉部材２００や可変入賞口１３０などを開閉駆動する各種ソレノイド３３０を制御するためのソレノイド回路３３２とを接続している。
【００８５】
なお、第１特図始動口１２６に球が入賞したことを球検出センサ３１８が検出した場合には、センサ回路３２０は球を検出したことを示す信号をカウンタ回路３１６に出力する。この信号を受信したカウンタ回路３１６は、第１特図始動口１２６に対応するカウンタのそのタイミングにおける値をラッチし、ラッチした値を、第１特図始動口１２６に対応する内蔵のカウンタ値記憶用レジスタに記憶する。
【００８６】
また、カウンタ回路３１６は、第２特図始動口１２８に球が入賞したことを示す信号を受信した場合も同様に、第２特図始動口１２８に対応するカウンタのそのタイミングにおける値をラッチし、ラッチした値を、第２特図始動口１２８に対応する内蔵のカウンタ値記憶用レジスタに記憶する。
【００８７】
さらに、基本回路３０２には、情報出力回路３３４を接続しており、主制御部３００は、この情報出力回路３３４を介して、外部のホールコンピュータ（図示省略）等が備える情報入力回路５５０にパチンコ機１００の遊技情報（たとえば、遊技状態）を出力する。
【００８８】
ところで、本実施例のパチンコ機１００では、詳しくは後述するように、主制御部３００を構成する主基板１６１に電源を供給するにあたり、電源制御部５００を構成する電源基板１６２から、払出制御部４００を構成する払出基板１６５を介して行うように構成されている。
【００８９】
図４に示すように、主制御部３００には、電源基板１６２から払出基板１６５を介して主基板１６１に供給される電源の電圧値を監視する電圧監視回路３３６を設けており、この電圧監視回路３３６は、電源の電圧値が所定の値（本実施例では９ｖ）未満である場合に電圧が低下したことを示す低電圧信号を基本回路３０２に出力する。
【００９０】
また、主制御部３００には、電源が投入されると起動信号（リセット信号）を出力する起動信号出力回路（リセット信号出力回路）３３８を設けており、ＣＰＵ３０４は、この起動信号出力回路３３８からの起動信号が入力された場合に、遊技制御を開始する（後述する主制御部リセット割り込み処理を開始する）。
【００９１】
また、主制御部３００には、演出制御部３５０にコマンドを送信するための出力インターフェースと、払出制御部４００にコマンドを送信するための出力インターフェースをそれぞれ設けており、演出制御部３５０には、主制御部３００からコマンドを受信するための入力インターフェースを設け、払出制御部４００には、主制御部３００からコマンドを受信するための入力インターフェースを設けている。この構成により、主制御部３００と、演出制御部３５０および払出制御部４００との通信を可能としている。なお、主制御部３００と演出制御部３５０および払出制御部４００との情報通信は一方向の通信であり、主制御部３００は演出制御部３５０および払出制御部４００にコマンド等の信号を送信できるように構成しているが、演出制御部３５０および払出制御部４００からは主制御部３００にコマンド等の信号を送信できないように構成している。
【００９２】
＜払出制御部＞
次に、パチンコ機１００の払出制御部４００について説明する。
【００９３】
払出制御部４００は、主に主制御部３００が送信したコマンド等に基づいて払出制御部４００の全体を制御する基本回路４０２を備えており、この基本回路４０２には、ＣＰＵ４０４と、制御プログラムや各種データを記憶するためのＲＯＭ４０６と、一時的にデータを記憶するためのＲＡＭ４０８と、各種デバイスの入出力を制御するためのＩ／Ｏ４１０と、時間や回数などを計測するためのカウンタタイマ４１２とを搭載している。
【００９４】
この基本回路４０２のＣＰＵ４０４は、水晶発信器４１４が出力する所定周期のクロック信号をシステムクロックとして入力して動作する。
【００９５】
また、基本回路４０２には、払出装置１５４に設けた払出センサ１５８を含む各種センサ４２８が出力する信号を受信するためのセンサ回路４２０と、各種ランプ４３０の表示制御を行うための表示回路４２２と、払出装置１５４に設けたスプロケット１５７を回転駆動するためのモータ制御回路４２４とを接続している。
【００９６】
さらに、払出制御部４００にはＣＲインターフェース部１６３を接続しており、払出制御部４００は、このＣＲインターフェース部１６３を介して、パチンコ機１００とは別体で設けられたカードユニット５５２との通信を行うと共に、球貸し操作部４０７から入力される操作信号を検出する。
【００９７】
また、払出制御部４００には、電源基板１６２から払出基板１６５に供給される電源の電圧値を監視する電圧監視回路４２６を設けており、この電圧監視回路４２６は、電源の電圧値が所定の値（本実施例では９ｖ）未満である場合に電圧が低下したことを示す低電圧信号を基本回路４０２に出力する。
【００９８】
また、払出制御部４００には、電源が投入されると起動信号（リセット信号）を出力する、図示しない起動信号出力回路（リセット信号出力回路）を設けており、ＣＰＵ４０４は、この起動信号出力回路からの起動信号が入力された場合に、払出制御を開始する（後述する払出制御部リセット割り込み処理を開始する）。
【００９９】
＜発射制御部、電源制御部＞
次に、パチンコ機１００の発射制御部４５０、電源制御部５００について説明する。
【０１００】
発射制御部４５０は、払出制御部４００が出力する、発射許可または停止を指示する制御信号や、操作ハンドル１４８内に設けた発射強度出力回路が出力する、遊技者による発射ハンドル１４８の操作量に応じた発射強度を指示する制御信号に基づいて、発射杆１３８および発射槌１４０を駆動する発射モータ４５２の制御や、貯留皿１４４から発射レール１４２に球を供給する球送り装置４５４の制御を行う。
【０１０１】
電源制御部５００は、パチンコ機１００に外部から供給される交流電源を直流化し、所定の電圧に変換して主制御部３００、払出制御部４００などの各制御部や払出装置１５４などの各装置に供給する。
【０１０２】
さらに、電源制御部５００は、外部からの電源が断たれた後も所定の部品（たとえば主制御部３００のＲＡＭ３０８など）に所定の期間（たとえば１０日間）電力を供給するための蓄電装置（たとえばコンデンサ）と、この蓄電装置よりも静電容量が小さく、所定の部品（たとえば主制御部３００の基本回路３０２全体）に供給している電力が、静電気ノイズ、人的なミス、遊技台に供給される電力の低下などが原因で変動し、低下している場合に、ある程度の電力を補うための蓄電装置（たとえばコンデンサ）をさらに備えている。
【０１０３】
この蓄電装置により、所定の部品（たとえば主制御部３００）に供給される電力が電断時や復電時などで不安定になっても、ある程度安定してその所定の部品は動作できるように構成している。
【０１０４】
また、電源基板１６２には遊技店の店員などが操作可能な操作部（ＲＡＭクリアスイッチ）を備えており、電源投入時にこの操作部が操作されていることを検出した場合には、主制御部３００の基本回路３０２および払出制御部４００の基本回路４０２に対して、ＲＡＭ３０８、４０８を初期化することを指令するＲＡＭクリア信号を出力するようにしている。
【０１０５】
＜演出制御部＞
次に、図５を用いて、パチンコ機１００の演出制御部３５０について説明する。
【０１０６】
演出制御部３５０は、主に主制御部３００が送信したコマンド等に基づいて演出制御部３５０の全体を制御する基本回路３５２を備えており、この基本回路３５２には、ＣＰＵ３５４と、制御プログラムや各種データを記憶するためのＲＯＭ３５６と、一時的にデータを記憶するためのＲＡＭ３５８と、各種デバイスの入出力を制御するためのＩ／Ｏ３６０と、時間や回数などを計測するためのカウンタタイマ３６２とを搭載している。
【０１０７】
この基本回路３５２のＣＰＵ３５４は、水晶発信器３６４が出力する所定周期のクロック信号をシステムクロックとして入力して動作する。
【０１０８】
また、基本回路３５２には、スピーカ３６６（およびアンプ）の制御を行うための音源ＩＣ３６８と、各種ランプ３７０の制御を行うための表示回路３７２と、ステッピングモータ３７６の制御を行うためのモータ制御回路３７８と、装飾図柄表示装置（液晶表示装置）１１０およびこの装飾図柄表示装置１１０の前面に開閉自在に配設したシャッタデバイス３７３の制御を行うための液晶制御回路３７４と、チャンスボタン１４６の操作を検出した場合に基本回路３５２に検出信号を出力するチャンスボタン検出回路３６４を接続している。
【０１０９】
また、演出制御部３５０には、電源が投入されると起動信号（リセット信号）を出力する、図示しない起動信号出力回路（リセット信号出力回路）を設けており、ＣＰＵ３５４は、この起動信号出力回路からの起動信号が入力された場合に、演出制御を開始する。
【０１１０】
＜主制御部のデータテーブル＞
次に、図６を用いて、パチンコ機１００の主制御部３００のＲＯＭ３０６が記憶しているデータテーブルについて説明する。
【０１１１】
なお、図６（ａ）は大当たり判定テーブルの一例を示す図であり、図６（ｂ）は大当たり当選時の高確率状態移行判定テーブルの一例を示す図であり、図６（ｃ）は特図大当たり当選時の時短状態移行判定テーブルの一例を示す図であり、図６（ｄ）は役物大当たり当選時の時短状態移行判定テーブルの一例を示す図であり、図６（ｅ）はタイマ番号決定テーブルの一例を示した図である。
【０１１２】
図６（ａ）に示す大当たり判定テーブルは、ＲＡＭ３０８に設けた遊技状態格納領域に記憶している情報（以下、単に遊技情報と称する。）の種類と、第１特図始動口１２６や第２特図始動口１２８に球が入賞したことを所定の球検出センサが検出した場合に使用する抽選データとを対応付けて記憶したデータテーブルである。
【０１１３】
主制御部３００の基本回路３０２は、これらの情報を用いて、特図変動遊技を当選（大当たり）とするか、不当選（外れ）とするかの決定、すなわち当たり判定を行う。
【０１１４】
なお、遊技情報は、特図変動遊技を所定の低確率で当選と判定する低確率状態を示す情報、および低確率よりも高い高確率で特図変動遊技を当選と判定する高確率状態を示す情報などを含むが、以下、これらを単に低確率状態および高確率状態と称する。
【０１１５】
また、遊技状態格納領域に記憶する情報には別の情報もあるが、これらの情報については必要に応じて後述する。
【０１１６】
図６（ａ）を参照した処理においては、遊技情報が通常状態すなわち低確率状態の場合、取得した特図当選乱数値が１０００１〜１１３１０であるときは、特図変動遊技（大当たり）の当選と判定する。これに対して、取得した特図当選乱数値が１０００１〜１１３１０以外の数値である場合には、特図変動遊技の外れと判定する。
【０１１７】
なお、本実施例では、特図当選乱数値の取り得る数値範囲は０〜６５５３５（数値範囲の大きさは６５５３６）、低確率状態において抽選データが大当たりを示す数値範囲は図６（ａ）のように１０００１〜１１３１０（数値範囲の大きさは１３１０）であるから、低確率状態での第１特図始動口１２６や第２特図始動口１２８への球の入賞に基づく特図変動遊技（大当たり）の当選確率は、約１／５０（＝１３１０／６５５３６）である。
【０１１８】
これに対して、高確率状態において抽選データが大当たりを示す数値範囲は図６（ａ）のように２０００１〜２１３３７（数値範囲の大きさは１３３７）であるから、高確率状態での第１特図始動口１２６や第２特図始動口１２８への球の入賞に基づく特図変動遊技（大当たり）の当選確率は約１／４９（＝１３３７／６５５３６）であり、第１特図始動口１２６や第２特図始動口１２８への球の入賞に基づく特図変動遊技の当選確率は、低確率状態よりも高確率状態の方が高くなるように設定している。
【０１１９】
図６（ｂ）に示す大当たり当選時の高確率状態移行判定テーブルは、上述の大当たり判定の結果、大当たりと判定した場合に使用する抽選データを記憶したデータテーブルである。
【０１２０】
主制御部３００の基本回路３０２は、この高確率状態移行判定テーブルの情報を用いて、特図変動遊技の終了後に大当たり遊技を開始するか、または特別大当たり遊技を開始するかの判定、すなわち確変移行判定を行う。
【０１２１】
たとえば、取得した乱数値が０〜６３の数値である場合には、遊技状態を低確率状態にした大当たりすなわち通常大当たり遊技を開始する。一方、取得した乱数値が６４〜１２７の数値である場合には、遊技状態を高確率状態にした大当たりすなわち特別大当たり遊技を開始する。
【０１２２】
なお、本実施例では、特図乱数値の取り得る数値範囲は０〜１２７（数値範囲の大きさは１２８）、抽選データの高確率状態移行判定乱数の範囲は図６（ｂ）のように６４〜１２７（数値範囲の大きさは６４）であるから、大当たり判定の結果が当選である場合に確変移行判定の結果を当選にする確率、すなわち特別大当たりを開始する確率は１／２（＝６４／１２８）である。
【０１２３】
図６（ｃ）に示す特図大当たり当選時の時短状態移行判定テーブルは、上述の特図抽選の大当たり判定の結果、大当たりと判定した場合に使用する抽選データを記憶したデータテーブルである。
【０１２４】
主制御部３００の基本回路３０２は、特図大当たり当選時の時短状態移行判定テーブルの情報を用いて、大当たり遊技の終了後に時短なし遊技を開始するか、または時短あり遊技を開始するかの判定、すなわち時短移行判定を行う。
【０１２５】
たとえば、取得した乱数値が０〜１４の数値である場合には、大当たり遊技の終了後の遊技状態を時短なし状態にする。一方、取得した乱数値が１５〜１２７の数値である場合には、大当たり遊技の終了後の遊技状態を時短あり状態にする。
【０１２６】
なお、本実施例では、乱数値の取り得る数値範囲は０〜１２７（数値範囲の大きさは１２８）、抽選データの時短あり移行判定乱数の範囲は図６（ｃ）のように１５〜１２７（数値範囲の大きさは１１３）であるから、特図抽選で大当たり判定の結果が当選である場合に時短移行判定の結果を当選にする確率、すなわち時短あり遊技を開始する確率は約８８％（＝１１３／１２８）である。本実施例では、この約８８％の確率で最大１００回の時短状態となる。なお、本実施例でいう時短状態は、普通図柄の変動時間の短縮状態、特別図柄の変動時間の短縮状態、開閉部材２００の駆動時間の延長状態、を含む状態であるが、センター役物１６０の開閉部材６０１の開放時間の延長状態を含めてもよく、また、前記４つの状態のうちの少なくともいずれか１つを含む状態であってもよい。
【０１２７】
図６（ｄ）に示す役物大当たり当選時の時短状態移行判定テーブルは、センター役物１６０内の回転体６０３に設けられＶ入賞口６０４に遊技球が入賞した場合に使用する抽選データを記憶したデータテーブルである。
【０１２８】
主制御部３００の基本回路３０２は、役物大当たり当選時の時短状態移行判定テーブルの情報を用いて、大当たり遊技の終了後に時短なし遊技を開始するか、または時短あり遊技を開始するかの判定、すなわち時短移行判定を行う。
【０１２９】
たとえば、取得した乱数値が０〜１０２の数値である場合には、大当たり遊技の終了後の遊技状態を時短なし状態にする。一方、取得した乱数値が１０３〜１２７の数値である場合には、大当たり遊技の終了後の遊技状態を時短あり状態にする。
【０１３０】
なお、本実施例では、乱数値の取り得る数値範囲は０〜１２７（数値範囲の大きさは１２８）、抽選データの時短あり移行判定乱数の範囲は図６（ｄ）のように１０３〜１２７（数値範囲の大きさは２５）であるから、Ｖ入賞口６０４に入賞した大当たりの場合に時短移行判定の結果を当選にする確率、すなわち時短あり遊技を開始する確率は約２０％（＝２５／１２８）である。
【０１３１】
図６（ｅ）に示すタイマ番号決定テーブルは、特図表示装置１１４による特図の変動表示を開始してから停止表示をするまでの変動時間を示すタイマ番号を決定するための抽選に使用する抽選データを記憶したデータテーブルである。
【０１３２】
主制御部３００の基本回路３０２は、これらの情報と、上述の大当たり判定結果（後述する大当たりフラグの値）および後述するタイマ乱数の値に基づいて、タイマ番号を決定し、決定したタイマ番号に対応する変動時間を、特図表示図柄更新タイマの初期値として設定する。
【０１３３】
なお、本実施例では、図６（ｅ）に示すように、特図タイマ乱数値の取り得る数値範囲は０〜６５５３５（数値範囲の大きさは６５５３６）、上述の大当たり判定結果が不当選の場合（大当たりフラグがオフの場合）は、タイマ１のタイマ乱数の範囲は０〜６０２３５（数値範囲の大きさは６０２３６）であるから、タイマ番号としてタイマ１（変動時間５秒、変動態様「リーチなし」）を選択する確率は６０２３６／６５５３６である。
【０１３４】
また、大当たりフラグがオフの場合に、タイマ番号として、タイマ２（変動時間１０秒、変動態様「ノーマルリーチ」）を選択する確率は４２５０／６５５３６、タイマ３（変動時間２０秒、変動態様「ロングリーチ」）を選択する確率は８００／６５５３６、タイマ４（変動時間４０秒、変動態様「マルチラインリーチ」）を選択する確率は２５０／６５５３６である。
【０１３５】
一方、大当たり判定結果が当選の場合（大当たりフラグがオンの場合）は、タイマ２のタイマ乱数の範囲は０〜１５５３５（数値範囲の大きさは１５５３６）であるから、タイマ番号としてタイマ２（変動時間１０秒、変動態様「ノーマルリーチ（逆転含む）」）を選択する確率は１５５３６／６５５３６である。
【０１３６】
また、大当たりフラグがオンの場合に、タイマ番号として、タイマ３（変動時間２０秒、変動態様「ロングリーチ」、変動態様「ノーマルリーチ（再変動）」）を選択する確率は９０００／６５５３６、タイマ４（変動時間４０秒、変動態様「マルチラインリーチ」）を選択する確率は３８０００／６５５３６、タイマ５（変動時間５０秒、変動態様「全回転リーチ」）を選択する確率は３０００／６５５３６である。
【０１３７】
図７は、図１に示した開閉部材２００の周辺構成を拡大して示す図であり、（ａ）は開閉部材２００の周辺を正面（遊技者側）から見た正面図であり、（ｂ）は（ａ）の右斜め上から見た斜視図であり、（ｃ）は開閉部材２００のみを示す斜視図である。
【０１３８】
また、図７（ａ）および図７（ｂ）のそれぞれにおいて、左側の図は開閉部材２００を駆動しない状態を示し、右側の図は開閉部材２００を駆動した状態を示す。
【０１３９】
開閉部材２００は第２特図始動口１２８や役物始動口１２９の開口の大きさを調節する部材であり、図７（ｃ）に示すように、遊技盤１０２の表側（遊技者側）に設けられて第２特図始動口１２８や役物始動口１２９の上部左右の開口を遮蔽する遮蔽部材２００ｄおよび２００ｅと、遊技盤１０２の裏側に設けられて遮蔽部材２００ｄと連結している伝達部材２００ｃと、遊技盤１０２の裏側に設けられて伝達部材２００ｃを上下動させる駆動力を発生するモータ２００ｂとを有して構成される。
【０１４０】
また、２００ａは、遮蔽部材２００ｄおよび伝達部材２００ｃを上下動させる際に遊技盤１０２が障害とならないように遊技盤１０２を貫通するスリットである。
【０１４１】
パチンコ機１００の遊技において、普図始動口１２４への入賞がない場合には、図７（ａ）および（ｂ）の左側の図に示すように開閉部材２００は上方位置に保持され、第２特図始動口１２８の上部左右の開口は遮蔽部材２００ｄおよび２００ｅによって完全に塞がれた状態になっている。
【０１４２】
一方、役物始動口１２９の上部左右の開口は遮蔽部材２００ｄおよび２００ｅの影響を受けず、役物始動口１２９の上端と開閉部材２００の下端との間隔、すなわち役物始動口１２９の上部左右の開口は、たとえば遊技球２．５個分設けられている。
【０１４３】
その後、普図始動口１２４への入賞があると、入賞に基づいた抽選の結果が当選の場合にモータ２００ｂが駆動されて伝達部材２００ｃを下方に動かし、所定位置で停止する。すなわち、図７（ａ）および（ｂ）の右側の図に示すように開閉部材２００は下方位置に保持され、第２特図始動口１２８の上部左右の開口は遮蔽部材２００ｄおよび２００ｅの影響を受けず、第２特図始動口１２８の上端と第１特図始動口１２６の下端との間隔にのみ影響されて、第２特図始動口１２８の上部左右の開口は、たとえば遊技球１個分に広がり、第２特図始動口１２８に遊技球が入賞可能な状態となる。
【０１４４】
一方、役物始動口１２９の上部左右の開口は遮蔽部材２００ｄおよび２００ｅが下がってきたことにより、役物始動口１２９の上端と開閉部材２００の下端との間隔、すなわち役物始動口１２９の上部左右の開口は、たとえば遊技球１個分になり、駆動前よりも小さくなる。
【０１４５】
次に、すでに説明した図面および図８を参照しながら、本実施例の動作についてさらに説明する。
【０１４６】
図８は、本実施例のパチンコ機の遊技に係る処理の流れを示したフローチャートである。主制御部３００の基本回路３０２では、図８のフローチャートの処理を実行する。
【０１４７】
まず、本実施例では、普図始動口１２４への入賞があったかを判定する（Ｓ１０１）。この判定の結果、普図始動口１２４への入賞がなければ、ステップ（Ｓ１０５）へと進む。
【０１４８】
一方、ステップ（Ｓ１０１）において、普図始動口１２４への入賞があった場合には、普図変動遊技を行って普図当たりの抽選処理を行い（Ｓ１０２）、この抽選の当選確率は約１／１であり、抽選の結果を判定し（Ｓ１０３）、外れた場合にはステップ（Ｓ１０５）へと進む。
【０１４９】
一方、ステップ（Ｓ１０３）において、普図当たり抽選に当選した場合には、開閉部材２００を駆動する処理、すなわち、開閉部材２００を、図７（ａ）および（ｂ）の左側の図に示した状態から図７（ａ）および（ｂ）の右側の図に示した状態へと変化させる処理を行い、その後、所定時間経過するか、または所定の入賞口（たとえば第２特図始動口１２８）に所定個数の入賞があった場合には、開閉部材２００の駆動を停止する処理、すなわち、開閉部材２００を、図７（ａ）および（ｂ）の右側の図に示した状態から図７（ａ）および（ｂ）の左側の図に示した状態へと変化させる（Ｓ１０４）。
【０１５０】
このように、本実施例によれば、普図当たり抽選に当選した場合には、第２特図始動口１２８に入賞する可能性が出るため、第１特図始動口１２６と第２特図始動口１２８とで特図抽選を行う確率は高まるが、役物始動口１２９に入賞する確率は開口が狭まるので低くなる。
【０１５１】
続いて、第１特図始動口１２６または第２特図始動口１２８への入賞があったかを判定する（Ｓ１０５）。この判定の結果、第１特図始動口１２６または第２特図始動口１２８への入賞がなければステップ（Ｓ１１４）へと進む。
【０１５２】
ステップ（Ｓ１１４）では、センター役物１６０内の回転体６０３に設けられたＶ入賞口６０４に遊技球が進入したかどうかを判定する。この判定の結果、遊技球がＶ入賞口６０４に進入していないのであれば、ステップ（Ｓ１１６）へと進み、役物始動口１２９への入賞があったかを判定する。この判定の結果、役物始動口１２９への入賞がなければ復帰する。
【０１５３】
一方、ステップ（Ｓ１１６）において、役物始動口１２９への入賞があった場合には、センター役物１６０の開閉部材６０１を開く（Ｓ１１７）。この開閉部材６０１の開放は、所定時間（たとえば１．９秒）経過するまで、またはセンター役物１６０内への入球が所定個数に達するまで継続し（Ｓ１１８）、その後、閉じられる（Ｓ１１９）。この処理が終了したら復帰する。
【０１５４】
また、ステップ（Ｓ１１４）において、遊技球がＶ入賞口６０４に進入した場合には、ラウンド数を１５に設定して（Ｓ１１５）、ステップ（１０９）へと進む。
【０１５５】
一方、ステップ（Ｓ１０５）において、第１特図始動口１２６または第２特図始動口１２８への入賞があった場合には、特図変動遊技を行って特図当たりの抽選処理を行う（Ｓ１０６）。
【０１５６】
上述の図６（ａ）の当たり判定テーブルを用いた抽選の結果、外れの場合には復帰し、大当たりに当選した場合には（Ｓ１０７）、ラウンド数を２に設定して（Ｓ１０８）、ステップ（１０９）へと進む。
【０１５７】
ステップ（Ｓ１０９）では、可変入賞口１３０の扉部材を開放し、可変入賞口１３０に所定個数入賞するか、所定時間経過した場合には（Ｓ１１０）、可変入賞口１３０の扉部材を閉鎖し（Ｓ１１１）、これをステップ（Ｓ１０８）またはステップ（Ｓ１１５）で設定したラウンド数だけ繰り返した後に（Ｓ１１２、Ｓ１１３）復帰する。
【０１５８】
上述のように、本実施例では普図抽選に当選すると、開閉部材２００が所定の駆動手段（たとえばモータ２００ｂやソレノイド３３０等）によって変換され（駆動され）、第２特図始動口１２８の開口が閉鎖状態から開放状態へと拡大されるが、同時に役物始動口１２９の開口の大きさが縮小される。すなわち、開閉部材２００が変換された状態では、役物始動口１２９に遊技球が入賞し難くなる。したがって、本実施例によれば、時短状態と、時短ではない通常遊技状態とでは、開閉部材２００が変換されやすい（普図始動口１２４を通過する回数が多くなる）時短状態よりも通常遊技状態のほうが、１５Ｒの大当り（役物始動口１２９入賞後のＶ入賞口６０４への入賞）が発生しやすくなり、遊技者に斬新な遊技性を提供することが可能となる。
【０１５９】
また、本実施例の遊技台（パチンコ機１００）では、確変状態や時短状態よりも通常状態の方が遊技者に有利な遊技性であるため、遊技場店員は、従来の遊技台のように普図始動口の通過率を下げるように遊技釘を調整すると店側が損をする。したがって、普図始動口の通過率を下げるような遊技釘の調整を遊技場店員が行うことを抑制することができる。
【０１６０】
また、本実施例では、時短状態は１００回変動すると時短状態よりも有利な通常状態に移行するため、遊技者は、有利な状態が訪れるタイミング（いわゆる天井）を事前に把握することができ、遊技者の遊技に対する興趣を高めることができる場合がある。
【０１６１】
さらに、遊技場の開店時にＲＡＭクリアを行った後に通常遊技状態から開始するようにすれば、開店に合わせて遊技者に有利な状態を提供すること（いわゆるモーニング）も可能となり、店側としては開店時からの来客を期待することができる。
【実施例２】
【０１６２】
次に、本発明によるパチンコ機に用いられる開閉部材の、図７とは別の実施例について説明する。
【０１６３】
なお、実施例１は第２特図始動口１２８および役物始動口１２９の開口の大きさを調節する部材としての開閉部材２００について説明したが、この実施例２では、これに限定されず、パチンコ機１００の所定の入賞口である第１の入賞口および第２の入賞口の開口の大きさを調節する部材としての開閉部材１２００について説明する。
【０１６４】
図９は、複数の入賞口の開口の大きさを調整する開閉部材の、図７の実施例１とは別の例である実施例２に係る開閉部材１２００の周辺構成を拡大して示す図であり、（ａ）は開閉部材１２００の周辺を正面（遊技者側）から見た正面図であり、（ｂ）は（ａ）の右斜め上から見た斜視図である。
【０１６５】
また、図９（ａ）および図９（ｂ）のそれぞれにおいて、左側の図は開閉部材１２００を駆動しない状態を示し、右側の図は開閉部材１２００を駆動した状態を示す。
【０１６６】
開閉部材１２００は第１の入賞口１１２８や第２の入賞口１１２９の開口の大きさを調節する部材であり、遊技盤１０２の表側（遊技者側）に設けられて第１の入賞口１１２８や第２の入賞口１１２９の上部左右の開口を遮蔽する遮蔽部材１２００ｄおよび１２００ｅと、遊技盤１０２の裏側に設けられて遮蔽部材１２００ｄおよび１２００ｅを回動させる駆動力を発生するモータ１２００ｂとを有して構成される。なお、本実施例の遮蔽部材１２００ｄおよび１２００ｅは板状部材である。
【０１６７】
パチンコ機１００の遊技において、たとえば普図始動口１２４への入賞がない場合には、図９（ａ）および（ｂ）の左側の図に示すように遮蔽部材１２００ｄおよび１２００ｅは八の字状に、上端どうしは密着し、下端どうしは開いた位置に保持され、第１の入賞口１１２８の上部左右の開口は遮蔽部材１２００ｄおよび１２００ｅによって完全に塞がれた状態になっている。
【０１６８】
一方、第２の入賞口１１２９の上部左右の開口は、遮蔽部材１２００ｄおよび１２００ｅの下端どうしの間隔が広いため、第２の入賞口１１２９の上端と遮蔽部材１２００ｄおよび１２００ｅの下端との間隔、すなわち第２の入賞口１１２９の上部左右の開口は、広く確保されている。
【０１６９】
その後、たとえば普図始動口１２４への入賞があると、モータ１２００ｂが駆動されて、遮蔽部材１２００ｄは回転軸１２００ｄ’を回転軸にして矢印で示すように回動し、遮蔽部材１２００ｅは回転軸１２００ｅ’を回転軸にして矢印で示すように回動し、所定位置、たとえば遮蔽部材１２００ｄと１２００ｅとが平行になる位置で停止する。すなわち、図９（ａ）および（ｂ）の右側の図に示すように遮蔽部材１２００ｄおよび１２００ｅは、互いに平行になる位置で保持され、遮蔽部材１２００ｄおよび１２００ｅの上端どうしが離れて第１の入賞口１１２８の上部左右の開口が広がり、第１の入賞口１１２８に遊技球が入賞可能な状態となる。
【０１７０】
一方、第２の入賞口１１２９の上部左右の開口は、遮蔽部材１２００ｄおよび１２００ｅの下端どうしの間隔が狭まったことにより、第２の入賞口１１２９の上端と遮蔽部材１２００ｄおよび１２００ｅの下端との間隔、すなわち第２の入賞口１１２９の上部左右の開口は駆動前よりも小さくなる。
【実施例３】
【０１７１】
次に、本発明によるパチンコ機に用いられる開閉部材の、図７とはさらに別の実施例について説明する。
【０１７２】
なお、実施例１は第２特図始動口１２８および役物始動口１２９の開口の大きさを調節する部材としての開閉部材２００について説明したが、この実施例３では、これに限定されず、第１特図始動口１２６に相当するパチンコ機１００の所定の入賞口である第３の入賞口２１２６も図示しながら、パチンコ機１００の所定の入賞口である第１の入賞口２１２８および第２の入賞口２１２９の開口の大きさを調節する部材としての開閉部材２２００について説明する。
【０１７３】
図１０は、複数の入賞口の開口の大きさを調整する開閉部材の、図７の実施例１とは別の例である実施例３に係る開閉部材２２００の周辺構成を拡大して示す図であり、（ａ）は開閉部材２２００の周辺を正面（遊技者側）から見た正面図であり、（ｂ）は（ａ）の右斜め上から見た斜視図である。
【０１７４】
また、図１０（ａ）および図１０（ｂ）のそれぞれにおいて、左側の図は開閉部材２２００を駆動しない状態を示し、右側の図は開閉部材２２００を駆動した状態を示す。
【０１７５】
開閉部材２２００は第１の入賞口２１２８や第２の入賞口２１２９の開口の大きさを調節する部材であり、遊技盤１０２の表側（遊技者側）に設けられて第１の入賞口２１２８や第２の入賞口２１２９の上部左右の開口を遮蔽する遮蔽部材２２００ｄおよび２２００ｅと、遊技盤１０２の裏側に設けられて遮蔽部材２２００ｄおよび２２００ｅを回動させる駆動力を発生するモータ２２００ｂとを有して構成される。なお、本実施例の遮蔽部材２２００ｄおよび２２００ｅは、入賞口の上部左右の開口を遮蔽するだけの厚みのある扇型の形状である。
【０１７６】
パチンコ機１００の遊技において、たとえば普図始動口１２４への入賞がない場合には、図１０（ａ）および（ｂ）の左側の図に示すように遮蔽部材２２００ｄおよび２２００ｅは上方位置に保持され、第１の入賞口２１２８の上部左右の開口は遮蔽部材２２００ｄおよび２２００ｅによって完全に塞がれた状態になっている。
【０１７７】
一方、第２の入賞口２１２９の上部左右の開口は、遮蔽部材２２００ｄおよび２２００ｅの影響を受けず、第２の入賞口２１２９の上端と第１の入賞口２１２８の下端との間隔で、第２の入賞口２１２９の上部左右の開口は広く確保されている。
【０１７８】
その後、普図始動口１２４への入賞があると、モータ２２００ｂが駆動されて、遮蔽部材２２００ｄは回転軸２２００ｄ’を回転軸にして矢印で示すように回動し、遮蔽部材１２００ｅは回転軸２２００ｅ’を回転軸にして矢印で示すように回動し、所定位置、たとえば第１の入賞口２１２８を塞いでいた面が水平になる位置で停止する。すなわち、遮蔽部材２２００ｄおよび２２００ｅは、図１０（ａ）および（ｂ）の右側の図に示す位置で保持され、第１の入賞口２１２８の上部左右の開口が広がり、第１の入賞口２１２８に遊技球が入賞可能な状態となる。
【０１７９】
一方、第２の入賞口２１２９の上部左右の開口は、遮蔽部材２２００ｄおよび２２００ｅの端部が第２の入賞口１１２９の上部にかかるようになり、第２の入賞口２１２９の上部左右の開口は駆動前よりも小さくなる。
【実施例４】
【０１８０】
次に、本発明によるパチンコ機に用いられる開閉部材の、図７とはさらに別の実施例について説明する。
【０１８１】
なお、実施例１は第２特図始動口１２８および役物始動口１２９の開口の大きさを調節する部材としての開閉部材２００について説明したが、この実施例４では、これに限定されず、第１特図始動口１２６に相当するパチンコ機１００の所定の入賞口である第３の入賞口３１２６も図示しながら、パチンコ機１００の所定の入賞口である第１の入賞口３１２８および第２の入賞口３１２９の開口の大きさを調節する部材としての開閉部材３２００について説明する。
【０１８２】
図１１は、複数の入賞口の開口の大きさを調整する開閉部材の、図７の実施例１とは別の例である実施例４に係る開閉部材３２００の周辺構成を拡大して示す図であり、（ａ）は開閉部材３２００の周辺を正面（遊技者側）から見た正面図であり、（ｂ）は（ａ）の左斜め上から見た斜視図であり、（ｃ）は開閉部材３２００のみを示す斜視図である。
【０１８３】
また、図１１（ａ）および図１１（ｂ）のそれぞれにおいて、左側の図は開閉部材３２００を駆動しない状態を示し、右側の図は開閉部材３２００を駆動した状態を示す。
【０１８４】
開閉部材３２００は第１の入賞口３１２８や第２の入賞口３１２９の開口の大きさを調節する部材であり、図１１（ｃ）に示すように、遊技盤１０２の表側（遊技者側）に設けられて第１の入賞口３１２８の開口や第２の入賞口３１２９の上部左右の開口を遮蔽する遮蔽部材３２００ｄおよび３２００ｅと、遊技盤１０２の裏側に設けられて遮蔽部材３２００ｄと連結している伝達部材３２００ｃと、遊技盤１０２の裏側に設けられて伝達部材３２００ｃを上下動させる駆動力を発生するモータ３２００ｂとを有して構成される。
【０１８５】
また、３２００ａは、遮蔽部材３２００ｄおよび伝達部材３２００ｃを上下動させる際に遊技盤１０２が障害とならないように遊技盤１０２を貫通するスリットである。
【０１８６】
パチンコ機１００の遊技において、たとえば普図始動口１２４への入賞がない場合には、図１１（ａ）および（ｂ）の左側の図に示すように開閉部材３２００は上方位置に保持され、第１の入賞口３１２８の開口は遮蔽部材３２００ｅによって完全に塞がれた状態になっている。ところで、この実施例の第１の入賞口３１２８は、箱型の枠部材を有さずに遊技盤１０２に設けられた孔のみで形成されており、底面に曲面を有する立方体状の遮蔽部材３２００ｅが上方に位置すると、この遊技盤１０２に設けられた孔が塞がれる。
【０１８７】
一方、第２の入賞口３１２９の上部左右の開口は遮蔽部材２００ｄおよび２００ｅが上方に位置しているため、第２の入賞口３１２９の上端と開閉部材３２００の下端との間隔、すなわち第２の入賞口３１２９の上部左右の開口は広く確保されている。
【０１８８】
その後、たとえば普図始動口１２４への入賞があると、モータ３２００ｂが駆動されて伝達部材３２００ｃを下方に動かし、所定位置で停止する。すなわち、図１１（ａ）および（ｂ）の右側の図に示すように開閉部材３２００は下方位置に保持され、遮蔽部材３２００ｅが下方にずれることによって第１の入賞口３１２８の開口が出現し、第１の入賞口３１２８の開口の右側は遮蔽部材３２００ｄによって塞がれているものの左側は開いており、第１の入賞口３１２８に遊技球が入賞可能な状態となる。
【０１８９】
一方、第２の入賞口３１２９の上部左右の開口は遮蔽部材３２００ｅが下がってきたことにより、第２の入賞口３１２９の上端と開閉部材３２００の下端との間隔、すなわち第２の入賞口３１２９の上部左右の開口は、駆動前よりも小さくなる。
【実施例５】
【０１９０】
次に、本発明によるパチンコ機に用いられる開閉部材の、図７とはさらに別の実施例について説明する。
【０１９１】
なお、実施例１は第２特図始動口１２８および役物始動口１２９の開口の大きさを調節する部材としての開閉部材２００について説明したが、この実施例５では、これに限定されず、パチンコ機１００の所定の入賞口である第１の入賞口４１２８および第２の入賞口４１２９の開口の大きさを調節する部材としての開閉部材４２００について説明する。
【０１９２】
また、上述の実施例では複数の入賞口が縦並びの場合について示したが、本発明はこれに限られず、複数の入賞口の配置は問わない。この実施例５では複数の入賞口が斜めに配置されている場合について示す。
【０１９３】
図１２は、複数の入賞口の開口の大きさを調整する開閉部材の、図７の実施例１とは別の例である実施例５に係る開閉部材４２００の周辺構成を拡大して示す図であって、開閉部材４２００の周辺を正面（遊技者側）から見た正面図である。
【０１９４】
また、図１２において、左側の図は開閉部材４２００を駆動しない状態を示し、右側の図は開閉部材４２００を駆動した状態を示す。
【０１９５】
開閉部材４２００は第１の入賞口４１２８や第２の入賞口４１２９の開口の大きさを調節する部材であり、遊技盤１０２の表側（遊技者側）に設けられて第１の入賞口４１２８の上部開口を遮蔽する遮蔽部材４２００ｅと、第２の入賞口４１２９の上部左側の開口を遮蔽する遮蔽部材４２００ｄと、遊技盤１０２の裏側に設けられて遮蔽部材４２００ｄおよび４２００ｅを上下動させる駆動力を発生するモータ（図示省略）とを有して構成される。なお、本実施例の遮蔽部材４２００ｄおよび４２００ｅは、入賞口の上部および上部左側の開口を遮蔽するだけの厚みのある形状である。
【０１９６】
また、４２００ａは、遮蔽部材４２００ｄを上下動させる際に遊技盤１０２が障害とならないように遊技盤１０２を貫通するスリットである。障害物４２００ｆは第２の入賞口４１２９の直上を完全に開放しないように設けられている。
【０１９７】
パチンコ機１００の遊技において、たとえば普図始動口１２４への入賞がない場合には、図１２の左側の図に示すように開閉部材４２００は下方位置に保持され、第１の入賞口４１２８の上部の開口は遮蔽部材４２００ｅによって完全に塞がれた状態になっている。
【０１９８】
一方、第２の入賞口４１２９の上部左右の開口は遮蔽部材４２００ｄが下方に位置しているため、第２の入賞口４１２９の上端と障害物４２００ｆの下端との間隔で、第２の入賞口４１２９の上部左右の開口は広く確保されている。
【０１９９】
その後、たとえば普図始動口１２４への入賞があると、図示しないモータが駆動されて遮蔽部材４２００ｄおよび４２００ｅを上方に動かし、所定位置で停止する。すなわち、図１２の右側の図に示すように開閉部材４２００は上方位置に保持され、遮蔽部材４２００ｅが上方にずれることによって第１の入賞口４１２８が開口し、第１の入賞口４１２８の開口の右側は遮蔽部材４２００ｄによって塞がれているものの左側は開いており、第１の入賞口４１２８に遊技球が入賞可能な状態となる。
【０２００】
一方、第２の入賞口４１２９の上部左側の開口は遮蔽部材４２００ｅが上がってきたことにより塞がり、開口は右側のみになり、駆動前よりも小さくなる。
【実施例６】
【０２０１】
次に、本発明によるパチンコ機に用いられる開閉部材の、図７とはさらに別の実施例について説明する。
【０２０２】
なお、実施例１は第２特図始動口１２８および役物始動口１２９の開口の大きさを調節する部材としての開閉部材２００について説明したが、この実施例６では、これに限定されず、パチンコ機１００の所定の入賞口である第１の入賞口５１２８および第２の入賞口５１２９の開口の大きさを調節する部材としての開閉部材５２００について説明する。
【０２０３】
また、上述の実施例では複数の入賞口が縦並びの場合について示したが、本発明はこれに限られず、複数の入賞口の配置は問わない。この実施例６では複数の入賞口が横並びに配置されている場合について示す。
【０２０４】
また、上述の実施例では、開閉部材を駆動しない状態と駆動した状態の２つの状態になり得る例について示したが、本発明はこれに限られるものではなく、３つ以上の状態になり得るものであってもかまわない。この実施例６では３つの状態になり得る例について示す。
【０２０５】
図１３は、複数の入賞口の開口の大きさを調整する開閉部材の、図７の実施例１とは別の例である実施例６に係る開閉部材５２００の周辺構成を拡大して示す図であって、開閉部材５２００を駆動しない状態を示す図であり、（ａ）は開閉部材５２００の周辺を正面（遊技者側）から見た正面図であり、（ｂ）は（ａ）の右斜め上から見た斜視図である。
【０２０６】
図１４は、複数の入賞口の開口の大きさを調整する開閉部材の、図７の実施例１とは別の例である実施例６に係る開閉部材５２００の周辺構成を拡大して示す図であって、開閉部材５２００を１段階駆動した状態を示す図であり、（ａ）は開閉部材５２００の周辺を正面（遊技者側）から見た正面図であり、（ｂ）は（ａ）の右斜め上から見た斜視図である。
【０２０７】
図１５は、複数の入賞口の開口の大きさを調整する開閉部材の、図７の実施例１とは別の例である実施例６に係る開閉部材５２００の周辺構成を拡大して示す図であって、開閉部材５２００を２段階駆動した状態を示す図であり、（ａ）は開閉部材５２００の周辺を正面（遊技者側）から見た正面図であり、（ｂ）は（ａ）の右斜め上から見た斜視図である。
【０２０８】
開閉部材５２００は第１の入賞口５１２８や第２の入賞口５１２９の開口の大きさを調節する部材であり、遊技盤１０２の表側（遊技者側）に設けられて第１の入賞口５１２８の上部および上部右側の開口を遮蔽する遮蔽部材５２００ｅと、第２の入賞口５１２９の上部および上部左側の開口を遮蔽する遮蔽部材５２００ｄと、遊技盤１０２の裏側に設けられて遮蔽部材５２００ｄおよび５２００ｅを上下動させる駆動力を発生するモータ（図示省略）とを有して構成される。なお、本実施例の遮蔽部材５２００ｄおよび５２００ｅは、入賞口の上部および上部左側または上部右側の開口を遮蔽するだけの厚みのある形状である。
【０２０９】
また、５２００ａは、遮蔽部材５２００ｄおよび５２００ｅを上下動させる際に遊技盤１０２が障害とならないように遊技盤１０２を貫通するスリットである。
【０２１０】
パチンコ機１００の遊技において、たとえば普図始動口１２４への入賞がない、他の所定の入賞口への入賞がない、などの第１の状態の場合には、図１３（ａ）および図１３（ｂ）に示すように開閉部材５２００は下段位置に保持され、第１の入賞口５１２８の上部の開口は遮蔽部材５２００ｅによって完全に塞がれた状態になっている。
【０２１１】
一方、第２の入賞口５１２９の上端と遮蔽部材５２００ｄとの間隔は、遊技球１個分だけ開いており、入賞が可能な状態になっている。
【０２１２】
その後、たとえば普図始動口１２４への入賞があるなどの第２の状態の場合には、図示しないモータが駆動されて遮蔽部材５２００ｄおよび５２００ｅを上方に動かし、中段位置である所定位置で停止する。すなわち、図１４（ａ）および図１４（ｂ）に示すように開閉部材５２００は中段位置に保持され、遮蔽部材５２００ｅが上方にずれることによって第１の入賞口５１２８が開口し、第１の入賞口５１２８の上端と遮蔽部材５２００ｅとの間隔は、遊技球１個分だけ開き、入賞が可能な状態となる。
【０２１３】
一方、第２の入賞口５１２９は、遮蔽部材５２００ｄが上方にずれることによって、第２の入賞口５１２９の上端と遮蔽部材５２００ｄとの間隔は、遊技球２個分に広がり、図１３よりも入賞しやすい状態となる。
【０２１４】
さらに、たとえば他の所定の入賞口への入賞があるなどの第３の状態の場合には、図示しないモータが駆動されて遮蔽部材５２００ｄおよび５２００ｅを上方に動かし、上段位置である所定位置で停止する。すなわち、図１５（ａ）および図１５（ｂ）に示すように開閉部材５２００は上段位置に保持され、遮蔽部材５２００ｅが上方にずれることによって、第１の入賞口５１２８の上端と遮蔽部材５２００ｅとの間隔は、遊技球２個分に広がり、図１４よりも入賞しやすい状態となる。
【０２１５】
一方、第２の入賞口５１２９は、遮蔽部材５２００ｄが上方にずれることによって、第２の入賞口５１２９の上端と遮蔽部材５２００ｄとの間隔は、遊技球３個分に広がり、図１４よりもさらに入賞しやすい状態となる。
【０２１６】
このように、開閉部材が駆動されることによって、複数の入賞口のいずれか複数が同時に入賞しやすくなるものであってもよい。
【実施例７】
【０２１７】
次に、本発明によるパチンコ機に用いられる開閉部材の、図７とはさらに別の実施例について説明する。
【０２１８】
なお、実施例１は第２特図始動口１２８および役物始動口１２９の開口の大きさを調節する部材としての開閉部材２００について説明したが、この実施例７では、これに限定されず、パチンコ機１００の所定の入賞口である第１の入賞口６１２８および第２の入賞口６１２９の開口の大きさを調節する部材としての開閉部材６２００について説明する。
【０２１９】
また、上述の実施例では複数の入賞口が縦並びの場合について示したが、本発明はこれに限られず、複数の入賞口の配置は問わない。この実施例７では複数の入賞口が横並びに配置されている場合について示す。
【０２２０】
図１６は、複数の入賞口の開口の大きさを調整する開閉部材の、図７の実施例１とは別の例である実施例７に係る開閉部材６２００の周辺構成を拡大して示す図であって、開閉部材６２００の周辺を正面（遊技者側）から見た正面図である。
【０２２１】
また、図１６において、左側の図は開閉部材６２００を駆動しない状態を示し、右側の図は開閉部材６２００を駆動した状態を示す。
【０２２２】
開閉部材６２００は第１の入賞口６１２８や第２の入賞口６１２９の開口の大きさを調節する部材であり、遊技盤１０２の表側（遊技者側）に設けられて第１の入賞口６１２８の上部開口を遮蔽する遮蔽部材６２００ｅと、第２の入賞口６１２９の上部開口を遮蔽する遮蔽部材６２００ｄと、遊技盤１０２の裏側に設けられて遮蔽部材６２００ｄおよび６２００ｅを上下動させる駆動力を発生するモータ（図示省略）とを有して構成される。なお、本実施例の遮蔽部材６２００ｄおよび６２００ｅは、入賞口の上部の開口を遮蔽するだけの厚みのある形状である。
【０２２３】
また、６２００ａは、遮蔽部材６２００ｄおよび６２００ｅを上下動させる際に遊技盤１０２が障害とならないように遊技盤１０２を貫通するスリットである。
【０２２４】
パチンコ機１００の遊技において、たとえば普図始動口１２４への入賞がない場合には、図１６の左側の図に示すように開閉部材６２００は下方位置に保持され、第１の入賞口６１２８の上部の開口は遮蔽部材６２００ｅによって完全に塞がれた状態になっている。
【０２２５】
一方、第２の入賞口６１２９の上部の開口も、遮蔽部材６２００ｄによって完全に塞がれた状態になっている。
【０２２６】
その後、たとえば普図始動口１２４への入賞があると、図示しないモータが駆動されて遮蔽部材６２００ｄおよび６２００ｅを上方に動かし、所定位置で停止する。すなわち、図１６の右側の図に示すように開閉部材６２００は上方位置に保持され、遮蔽部材６２００ｅが上方にずれることによって第１の入賞口６１２８が開口し、第１の入賞口６１２８に遊技球が入賞可能な状態となる。
【０２２７】
一方、第２の入賞口６１２９も、遮蔽部材６２００ｅが上方にずれることによって開口し、第２の入賞口６１２９に遊技球が入賞可能な状態となる。
【０２２８】
このように、開閉部材が駆動されることによって、複数の入賞口のいずれか複数が、同時に、入賞しがたい状態から入賞しやすい状態に変化するものであってもよい。また、入賞しがたい状態は、完全に封鎖された状態、入賞が不可能な状態であってもよい。
【実施例８】
【０２２９】
次に、本発明によるパチンコ機に用いられる開閉部材の、図７とはさらに別の実施例について説明する。
【０２３０】
なお、実施例１は第２特図始動口１２８および役物始動口１２９の開口の大きさを調節する部材としての開閉部材２００について説明したが、この実施例８では、これに限定されず、パチンコ機１００の所定の入賞口である第１の入賞口７１２６および第２の入賞口７１２８、さらに第３の入賞口７１２９の開口の大きさを調節する部材としての開閉部材７２００について説明する。
【０２３１】
また、上述の実施例では１つの開閉部材で２つの入賞口の開口の大きさを調整する場合について示したが、本発明はこれに限られず、１つの開閉部材で３つ以上の入賞口の開口の大きさを調整するものであってもかまわない。この実施例８では１つの開閉部材で３つの入賞口の開口の大きさを調整する場合について示す。
【０２３２】
図１７は、複数の入賞口の開口の大きさを調整する開閉部材の、図７の実施例１とは別の例である実施例８に係る開閉部材７２００の周辺構成を拡大して示す図であって、開閉部材７２００の周辺を正面（遊技者側）から見た正面図である。
【０２３３】
また、図１７において、左側の図は開閉部材７２００を駆動しない状態を示し、右側の図は開閉部材７２００を駆動した状態を示す。
【０２３４】
開閉部材７２００は第１の入賞口７１２６、第２の入賞口７１２８および第３の入賞口７１２９の開口の大きさを調節する部材であり、遊技盤１０２の表側（遊技者側）に設けられて第１の入賞口７１２６の上部開口を遮蔽する遮蔽部材７２００ｄと、第２の入賞口７１２８への入賞の障害となって上部開口の大きさを調節する遮蔽部材７２００ｅと、第３の入賞口７１２９への入賞の障害となって上部開口の大きさを調節する遮蔽部材７２００ｇと、遊技盤１０２の裏側に設けられて遮蔽部材７２００ｄ、７２００ｅおよび７２００ｇを上下動させる駆動力を発生するモータ（図示省略）とを有して構成される。なお、本実施例の遮蔽部材遮蔽部材７２００ｄは、第１の入賞口７１２６の上部の開口を遮蔽するだけの厚みのある形状である。
【０２３５】
また、７２００ａは、遮蔽部材７２００ｄ、７２００ｅおよび６２００ｇを上下動させる際に遊技盤１０２が障害とならないように遊技盤１０２を貫通するスリットである。
【０２３６】
パチンコ機１００の遊技において、たとえば普図始動口１２４への入賞がない場合には、図１７の左側の図に示すように開閉部材７２００は下方位置に保持され、第１の入賞口７１２６の上部の開口は遮蔽部材７２００ｄによって完全に塞がれた状態になっている。
【０２３７】
一方、第２の入賞口７１２８の上部の開口は、遮蔽部材７２００ｅが比較的近くに保持され、比較的小さな状態になっている。
【０２３８】
さらに、第３の入賞口７１２９の上部の開口は、遮蔽部材７２００ｇが比較的近くに保持され、比較的小さな状態になっている。
【０２３９】
その後、たとえば普図始動口１２４への入賞があると、図示しないモータが駆動されて遮蔽部材７２００ｄ、７２００ｅおよび７２００ｅｇ上方に動かし、所定位置で停止する。すなわち、図１７の右側の図に示すように開閉部材７２００は上方位置に保持され、遮蔽部材７２００ｄが上方にずれることによって第１の入賞口７１２６が開口し、第１の入賞口７１２６に遊技球が入賞可能な状態となる。
【０２４０】
一方、第２の入賞口７１２８の上部の開口は、遮蔽部材７２００ｅが上方に移動することによって、大きな開口へと変化する。
【０２４１】
さらに、第３の入賞口７１２９の上部の開口は、遮蔽部材７２００ｇが上方に移動することによって、大きな開口へと変化する。
【実施例９】
【０２４２】
次に、本発明によるパチンコ機に用いられる開閉部材の、図７とはさらに別の実施例について説明する。
【０２４３】
なお、実施例１は第２特図始動口１２８および役物始動口１２９の開口の大きさを調節する部材としての開閉部材２００について説明したが、この実施例９では、これに限定されず、パチンコ機１００の所定の入賞口である第１の入賞口８１２６および第２の入賞口８１２８、さらに第３の入賞口８１２９の開口の大きさを調節する部材としての開閉部材８２００について説明する。
【０２４４】
また、上述の実施例では、開閉部材に接触した遊技球を入賞口へ誘導させないようにした例について示したが、本発明はこれに限られるものではなく、この実施例９では、開閉部材が、接触した遊技球を入賞口へ誘導させる場合について示す。
【０２４５】
図１８は、複数の入賞口の開口の大きさを調整する開閉部材の、図７の実施例１とは別の例である実施例９に係る開閉部材８２００の周辺構成を拡大して示す図であり、（ａ）は開閉部材８２００の周辺を正面（遊技者側）から見た正面図であり、（ｂ）は（ａ）の右斜め上から見た斜視図であり、（ｃ）は（ａ）の上方から見た平面図である。
【０２４６】
また、図１８（ａ）および図１８（ｂ）のそれぞれにおいて、左側の図は開閉部材８２００を駆動しない状態を示し、右側の図は開閉部材８２００を駆動した状態を示す。また、図１８（ｃ）は開閉部材８２００を駆動した状態を示す。
【０２４７】
開閉部材８２００は第１の入賞口８１２６、第２の入賞口８１２８および第３の入賞口８１２９の開口の大きさを調節する部材であり、遊技盤１０２の表側（遊技者側）に設けられて第１の入賞口８１２６の上部開口を遮蔽する遮蔽部材８２００ｄと、第２の入賞口８１２８の上部開口を遮蔽する遮蔽部材８２００ｅと、第３の入賞口８１２９の上部開口を遮蔽する遮蔽部材８２００ｇと、遊技盤１０２の裏側に設けられて遮蔽部材８２００ｄ、８２００ｅおよび８２００ｇを左右動させる駆動力を発生するモータ８２００ｂとを有して構成される。
【０２４８】
また、この実施例９においては、開閉部材８２００は、上から下へと貫通した開口である窓８２００ｈ、８２００ｉおよび８２００ｊを有している。
【０２４９】
パチンコ機１００の遊技において、たとえば普図始動口１２４への入賞がない場合には、図１８（ａ）および（ｂ）の左側の図に示すように開閉部材８２００は左方位置に保持され、第１の入賞口８１２６の開口は遮蔽部材８２００ｄによって完全に塞がれた状態になっている。
【０２５０】
一方、第２の入賞口８１２８の開口は、遮蔽部材８２００ｅによって完全に塞がれた状態になっている。
【０２５１】
さらに、第３の入賞口８１２９の開口は、遮蔽部材８２００ｇによって完全に塞がれた状態になっている。
【０２５２】
その後、たとえば普図始動口１２４への入賞があると、モータ８２００ｂが駆動されて遮蔽部材８２００ｄ、８２００ｅおよび８２００ｇを右方に動かし、所定位置で停止する。すなわち、図１８（ａ）および（ｂ）の右側の図に示すように開閉部材８２００は右方位置に保持され、遮蔽部材８２００ｄが右方にずれることによって、貫通している窓８２００ｈが第１の入賞口８１２６の上部に移動し、第１の入賞口８１２６が開口し、第１の入賞口８１２６に遊技球が入賞可能な状態となる。また、このとき、開閉部材８２００の斜面８２００ｋおよび８２００ｍは、遊技球を第１の入賞口８１２６へ誘導する機能を果たす。
【０２５３】
一方、遮蔽部材８２００ｅが右方にずれることによって、貫通している窓８２００ｉが第２の入賞口８１２８の上部に移動し、第２の入賞口８１２８が開口し、第２の入賞口８１２８に遊技球が入賞可能な状態となる。また、このとき、開閉部材８２００の斜面８２００ｎおよび８２００ｐは、遊技球を第２の入賞口８１２８へ誘導する機能を果たす。
【０２５４】
さらに、遮蔽部材８２００ｇが右方にずれることによって、貫通している窓８２００ｊが第３の入賞口８１２９の上部に移動し、第３の入賞口８１２９が開口し、第３の入賞口８１２９に遊技球が入賞可能な状態となる。また、このとき、開閉部材８２００の斜面８２００ｑおよび８２００ｒは、遊技球を第３の入賞口８１２９へ誘導する機能を果たす。
【実施例１０】
【０２５５】
次に、本発明によるパチンコ機に用いられる開閉部材の、図７とはさらに別の実施例について説明する。
【０２５６】
なお、実施例１は第２特図始動口１２８および役物始動口１２９の開口の大きさを調節する部材としての開閉部材２００について説明したが、この実施例１０では、これに限定されず、パチンコ機１００の所定の入賞口である第１の入賞口９１２８および第２の入賞口９１２９の開口の大きさを調節する部材としての開閉部材９２００について説明する。
【０２５７】
本発明は、開閉部材の状態に応じて、複数の入賞口のうちの一方が入賞しやすく他方が入賞しがたい状態に変化するものに限られず、開閉部材の状態に応じて、複数の入賞口のうちの一方が入賞しやすく他方が入賞不可能な状態に変化するものでもよいし、複数の入賞口のうちの両方が入賞しやすい状態や、複数の入賞口のうちの両方が入賞しがたい状態や、複数の入賞口のうちの両方が入賞不可能な状態といった、各状態に開閉部材の状態に応じて変化するものでもよい。
【０２５８】
図１９は、複数の入賞口の開口の大きさを調整する開閉部材の、図７の実施例１とは別の例である実施例１０に係る開閉部材９２００の周辺構成を拡大して示す図であって、開閉部材９２００の第１の状態を示す図であり、（ａ）は開閉部材９２００の周辺を正面（遊技者側）から見た正面図であり、（ｂ）は（ａ）の右斜め上から見た斜視図である。
【０２５９】
図２０は、複数の入賞口の開口の大きさを調整する開閉部材の、図７の実施例１とは別の例である実施例１０に係る開閉部材９２００の周辺構成を拡大して示す図であって、開閉部材９２００の第２の状態を示す図であり、（ａ）は開閉部材９２００の周辺を正面（遊技者側）から見た正面図であり、（ｂ）は（ａ）の右斜め上から見た斜視図である。
【０２６０】
図２１は、複数の入賞口の開口の大きさを調整する開閉部材の、図７の実施例１とは別の例である実施例１０に係る開閉部材９２００の周辺構成を拡大して示す図であって、開閉部材９２００の第３の状態を示す図であり、（ａ）は開閉部材９２００の周辺を正面（遊技者側）から見た正面図であり、（ｂ）は（ａ）の右斜め上から見た斜視図である。
【０２６１】
図２２は、複数の入賞口の開口の大きさを調整する開閉部材の、図７の実施例１とは別の例である実施例１０に係る開閉部材９２００の周辺構成を拡大して示す図であって、開閉部材９２００の第４の状態を示す図であり、（ａ）は開閉部材９２００の周辺を正面（遊技者側）から見た正面図であり、（ｂ）は（ａ）の右斜め上から見た斜視図である。
【０２６２】
開閉部材９２００は第１の入賞口９１２８や第２の入賞口９１２９の開口の大きさを調節する部材であり、遊技盤１０２の表側（遊技者側）に設けられて第１の入賞口９１２８や第２の入賞口９１２９の上部左右の開口を遮蔽する遮蔽部材９２００ｄおよび９２００ｅと、遊技盤１０２の裏側に設けられて遮蔽部材９２００ｄおよび９２００ｅを回動させる駆動力を発生するモータ９２００ｂとを有して構成される。
【０２６３】
また、９２００ａは、遮蔽部材９２００ｄおよび９２００ｅを回動させる際に遊技盤１０２が障害とならないように遊技盤１０２を貫通するスリットである。また、第３の入賞口９１２６は、第１の入賞口９１２８の真上の開口を遮蔽するものである。
【０２６４】
開閉部材９２００の第１の状態、第２の状態、第３の状態および第４の状態は、たとえば普図始動口１２４への入賞の有無や、他の所定の入賞口への入賞の有無などに応じて、あらかじめ定められる。
【０２６５】
パチンコ機１００の遊技において、モータ９２００ｂが駆動されて遮蔽部材９２００ｄおよび９２００ｅを回動させ、第１の状態になった場合には、図１９（ａ）および図１９（ｂ）に示すように、第１の入賞口９１２８の真上の開口は第３の入賞口９１２６によって塞がれ、第１の入賞口９１２８の上部左右の開口は遮蔽部材９２００ｄおよび９２００ｅによって塞がれ、入賞が不可能な状態になっている。
【０２６６】
一方、第２の入賞口９１２９の上部左右の開口は開いており、入賞が可能な状態になっている。
【０２６７】
また、パチンコ機１００の遊技において、モータ９２００ｂが駆動されて遮蔽部材９２００ｄおよび９２００ｅを回動させ、第２の状態になった場合には、図２０（ａ）および図２０（ｂ）に示すように、第１の入賞口９１２８の上部左右の開口は開いており、入賞が可能な状態になっている。
【０２６８】
一方、第２の入賞口９１２９の真上の開口は第２の入賞口９１２８によって塞がれ、第２の入賞口９１２９の上部左右の開口は遮蔽部材９２００ｄおよび９２００ｅによって塞がれ、入賞が不可能な状態になっている。
【０２６９】
また、パチンコ機１００の遊技において、モータ９２００ｂが駆動されて遮蔽部材９２００ｄおよび９２００ｅを回動させ、第３の状態になった場合には、図２１（ａ）および図２１（ｂ）に示すように、第１の入賞口９１２８の真上の開口は第３の入賞口９１２６によって塞がれ、第１の入賞口９１２８の上部左右の開口は遮蔽部材９２００ｄおよび９２００ｅによって塞がれ、入賞が不可能な状態になっている。
【０２７０】
一方、第２の入賞口９１２９の真上の開口は第２の入賞口９１２８によって塞がれ、第２の入賞口９１２９の上部左右の開口も遮蔽部材９２００ｄおよび９２００ｅによって塞がれ、入賞が不可能な状態になっている。
【０２７１】
また、パチンコ機１００の遊技において、モータ９２００ｂが駆動されて遮蔽部材９２００ｄおよび９２００ｅを回動させ、第４の状態になった場合には、図２２（ａ）および図２２（ｂ）に示すように、第１の入賞口９１２８の上部左右の開口は開いており、入賞が可能な状態になっている。
【０２７２】
一方、第２の入賞口９１２９の上部左右の開口も開いており、入賞が可能な状態になっている。
【０２７３】
上述の各実施例においては、始動口や入賞口に入賞するための開口の大きさを調整する開閉部材について示したが、本発明はこれに限られるものではなく、始動口や入賞口以外の、ゲートやそのほかの特定箇所などの遊技球が進入可能な複数の開口の大きさを１つの開閉部材で調整するものであってもよい。
【０２７４】
なお、本発明によれば、複数の入賞口の開口の大きさを共通の開閉部材で変化させることができるため、開閉部材を入賞口毎に設けた場合と比べて部品点数の低減によるコスト削減が可能となる。また、複数の入賞口の開口の大きさが共通の開閉部材で同時に変化するため、従来にない斬新な遊技性を遊技者に提供することができ、遊技者の遊技に対する興趣を高めることができる場合がある。
【０２７５】
また、本発明によれば、２つの進入口（たとえば第２特図始動口１２８と役物始動口１２９）の開口の大きさを開閉部材（たとえば開閉部材２００）の第１状態と第２状態とに応じて変化させることができるため、開閉部材を入賞口毎に設けた場合と比べて部品点数の低減によるコスト削減が可能となる。また、２つの入賞口の開口の大きさが共通の開閉部材で同時に変化するため、従来にない斬新な遊技性を遊技者に提供することができ、遊技者の遊技に対する興趣を高めることができる場合がある。
【０２７６】
また、本発明によれば、第１状態では第２進入口（たとえば役物始動口１２９）が入賞し易く、第２状態では第１進入口（たとえば第２特図始動口１２８）が入賞し易い。このため、遊技者は、利益を得るために開閉部材（たとえば開閉部材２００）の状態に応じて第１進入口又は第２進入口の何れかに臨機応変に狙いを定める必要性が生じるため、従来にない斬新な遊技性を遊技者に提供することができ、遊技者の遊技に対する興趣を高めることができる場合がある。
【０２７７】
また、本発明によれば、第１状態では第１進入口（たとえば第２特図始動口１２８）よりも第２進入口（たとえば役物始動口１２９）の方が遊技球が入賞し易いため、第１状態時に遊技者は第２進入口に狙いを定めて遊技することができ、遊技者の遊技に対する興趣を高めることができる場合がある。
【０２７８】
また、本発明によれば、第２進入口（たとえば役物始動口１２９）は常に遊技球が進入可能であるため、開閉部材（たとえば開閉部材２００）の状態が変化しても遊技者は常に第２進入口（たとえば役物始動口１２９）を狙うことができ、遊技者の遊技に対する興趣を高めることができる場合がある。
【０２７９】
また、本発明によれば、開閉部材（たとえば開閉部材２００）は複数の進入口（たとえば第２特図始動口１２８と役物始動口１２９）の開口に遊技球を誘導しない。すなわち、開閉部材（たとえば開閉部材２００）に接触した遊技球は複数の進入口の開口以外の領域へ誘導される。このため、複数の進入口の開口以外の領域における遊技球の転動態様に変化を与えることができ、遊技者の遊技に対する興趣を高めることができる場合がある。
【０２８０】
また、本発明によれば、第２状態では、第１進入口（たとえば第２特図始動口１２８）と第２進入口（たとえば役物始動口１２９）の開口の大きさが同じであるため、第２状態時に遊技者は、第１進入口又は第２進入口の何れかに遊技球が入賞し易い位置、又は第１進入口と第２進入口とに遊技球が入賞し易い位置など複数の位置にハンドルを調節することができるため、従来にない斬新な遊技性を遊技者に提供することができ、遊技者の遊技に対する興趣を高めることができる場合がある。
【０２８１】
また、本発明によれば、第２状態よりも第１状態の方が開口が大きいため遊技者に有利となる。言い換えると、第１進入口（たとえば第２特図始動口１２８）に遊技球が入賞し難いときの方が遊技者に有利となる。このため、従来にない斬新な遊技性を遊技者に提供することができ、遊技者の遊技に対する興趣を高めることができる場合がある。
【０２８２】
また、本発明によれば、開閉部材が第２状態のときに２つの進入口（たとえば第１の入賞口５１２８と第２の入賞口５１２９）が共に遊技者に有利となるため、遊技者は開閉部材（たとえば開閉部材５２００）が第２状態のときに遊技に集中することができるため、遊技者の遊技に対する興趣を高めることができる場合がある。
【０２８３】
なお、本発明における各種記憶領域は必ずしもＲＡＭに設ける必要はなく、たとえば、情報を一時的に記憶すれば足りるような場合には各制御部のＣＰＵのレジスタなどに記憶してもよい。
【０２８４】
また、遊技状態格納領域には、単一の情報を記憶可能なだけではなく、複数の遊技状態に関する情報を並列的に記憶可能に構成してもよい。すなわち、複数単位の記憶領域により構成してもよい。
【０２８５】
また、処理は１つの命令、複数の一連の命令、および一連ではない複数の命令などを示し、サブルーチン全体、分岐から復帰までの一連の命令に限定しているものではない。
【０２８６】
また、本実施例における入賞には、遊技盤１０２に設けた入賞口や始動口に球が入球した場合のほか、遊技盤１０２に設けた通過領域を球が通過した場合（たとえば、普図始動口１２４を球が通過した場合）も含まれる。また、始動口は、必ずしも本実施例で示される位置に設ける必要は無く、たとえば、特定の入賞口内の特定の領域を始動口として機能させてもよい。
【０２８７】
また、可変入賞口１３０は、球が入賞不可能な閉状態と、入賞可能な開状態の２種類の開閉状態に変化するものに限定されず、球が入賞可能な第１の開状態と、第１の開状態よりも入賞が容易な第２の開状態の２種類の開状態に変化するものも含まれる。
【０２８８】
また、本実施例では、大当たりに対応する図柄組合せ（大当たり図柄組合せ）を装飾図柄表示装置１１０に停止表示した場合に大当たり遊技の開始となるが、大当たり遊技の開始条件はこれに限定されるものではない。したがって、たとえば、大当たり図柄組合せを停止表示した後で、盤面の特定のゲートを遊技球が通過した場合、大当たり図柄組合せを停止表示した後で、盤面の特定の入賞口に遊技球が通過した場合、大当たり図柄組合せを停止表示した後で、大入賞口（可変入賞口）以外の入賞口内の特定の領域を遊技球が通過した場合、特定の入賞口に遊技球が入賞したことを条件に開放した大入賞口（可変入賞口）内の特定の領域を遊技球が通過した場合、などを大当たり遊技の開始条件としてもよい。
【０２８９】
また、本実施例における特図は、特図表示装置１１４が変動表示および停止表示する図柄すべてを示しており、変動表示する図柄のみ、または、停止表示する図柄のみを示すものではない。さらに、本実施例における普図や装飾図柄も同様に、普図表示装置１１２や装飾図柄表示装置１１０が変動表示および停止表示する図柄すべてを示しており、変動表示する図柄のみ、または、停止表示する図柄のみを示すものではない。
【０２９０】
また、上述の実施例では、第１始動口に遊技球が入賞したことを検出した場合、および第２始動口に遊技球が入賞したことを検出した場合に行う大当たり判定の両方で、単一の所定の抽選データを参照するようにした例を示したが、これに限定されず、第１始動口用抽選データと第２始動口用抽選データとを別データとしてもよい。
【０２９１】
また、上述の実施例においては、遊技台として、遊技球を遊技媒体としたパチンコ機の例を示したが、本発明に係る遊技台はこれに限定されるものではなく、たとえば、メダル（コイン）を遊技媒体としたパチスロ機（スロットマシン）などにも適用可能である。
【０２９２】
さらに、本発明は、前述のパチスロ機やパチンコ遊技機等の実機の他、これらのパチスロ機等の実機の動作を家庭用ゲーム機用として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【０２９３】
以上、本発明の実施例を説明したが、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【産業上の利用可能性】
【０２９４】
本発明に係る遊技台は、スロットマシンやパチンコ機などに代表される遊技台に適用することができる。
【図面の簡単な説明】
【０２９５】
【図１】本実施例１に係るパチンコ機の正面（遊技者側）から見た状態を示す略示平面図である。
【図２】同パチンコ機を背面側から見た外観斜視図である。
【図３】（ａ）は特図の停止表示態様の一例を、（ｂ）は装飾図柄の一例を、（ｃ）は普図の停止表示態様の一例を、それぞれ示した図である。
【図４】同パチンコ機の主制御部、払出制御部、発射制御部、および電源制御部の回路ブロック図である。
【図５】同パチンコ機の演出制御部の回路ブロック図である。
【図６】（ａ）は大当たり判定テーブルの一例を示す図であり、（ｂ）は大当たり当選時の高確率状態移行判定テーブルの一例を示す図であり、（ｃ）は特図大当たり当選時の時短状態移行判定テーブルの一例を示す図であり、（ｄ）は役物大当たり当選時の時短状態移行判定テーブルの一例を示す図であり、（ｅ）はタイマ番号決定テーブルの一例を示した図である。
【図７】図１に示した開閉部材２００の周辺構成を拡大して示す図であり、（ａ）は開閉部材２００の周辺を正面（遊技者側）から見た正面図であり、（ｂ）は（ａ）の右斜め上から見た斜視図であり、（ｃ）は開閉部材２００のみを示す斜視図である。
【図８】本実施例のパチンコ機の遊技に係る処理の流れを示したフローチャートである。
【図９】複数の入賞口の開口の大きさを調整する開閉部材の、図７の実施例１とは別の例である実施例２に係る開閉部材１２００の周辺構成を拡大して示す図であり、（ａ）は開閉部材１２００の周辺を正面（遊技者側）から見た正面図であり、（ｂ）は（ａ）の右斜め上から見た斜視図である。
【図１０】複数の入賞口の開口の大きさを調整する開閉部材の、図７の実施例１とは別の例である実施例３に係る開閉部材２２００の周辺構成を拡大して示す図であり、（ａ）は開閉部材２２００の周辺を正面（遊技者側）から見た正面図であり、（ｂ）は（ａ）の右斜め上から見た斜視図である。
【図１１】複数の入賞口の開口の大きさを調整する開閉部材の、図７の実施例１とは別の例である実施例４に係る開閉部材３２００の周辺構成を拡大して示す図であり、（ａ）は開閉部材３２００の周辺を正面（遊技者側）から見た正面図であり、（ｂ）は（ａ）の左斜め上から見た斜視図であり、（ｃ）は開閉部材３２００のみを示す斜視図である。
【図１２】複数の入賞口の開口の大きさを調整する開閉部材の、図７の実施例１とは別の例である実施例５に係る開閉部材４２００の周辺構成を拡大して示す図であって、開閉部材４２００の周辺を正面（遊技者側）から見た正面図である。
【図１３】複数の入賞口の開口の大きさを調整する開閉部材の、図７の実施例１とは別の例である実施例６に係る開閉部材５２００の周辺構成を拡大して示す図であって、開閉部材５２００を駆動しない状態を示す図であり、（ａ）は開閉部材５２００の周辺を正面（遊技者側）から見た正面図であり、（ｂ）は（ａ）の右斜め上から見た斜視図である。
【図１４】複数の入賞口の開口の大きさを調整する開閉部材の、図７の実施例１とは別の例である実施例６に係る開閉部材５２００の周辺構成を拡大して示す図であって、開閉部材５２００を１段階駆動した状態を示す図であり、（ａ）は開閉部材５２００の周辺を正面（遊技者側）から見た正面図であり、（ｂ）は（ａ）の右斜め上から見た斜視図である。
【図１５】複数の入賞口の開口の大きさを調整する開閉部材の、図７の実施例１とは別の例である実施例６に係る開閉部材５２００の周辺構成を拡大して示す図であって、開閉部材５２００を２段階駆動した状態を示す図であり、（ａ）は開閉部材５２００の周辺を正面（遊技者側）から見た正面図であり、（ｂ）は（ａ）の右斜め上から見た斜視図である。
【図１６】複数の入賞口の開口の大きさを調整する開閉部材の、図７の実施例１とは別の例である実施例７に係る開閉部材６２００の周辺構成を拡大して示す図であって、開閉部材６２００の周辺を正面（遊技者側）から見た正面図である。
【図１７】複数の入賞口の開口の大きさを調整する開閉部材の、図７の実施例１とは別の例である実施例８に係る開閉部材７２００の周辺構成を拡大して示す図であって、開閉部材７２００の周辺を正面（遊技者側）から見た正面図である。
【図１８】複数の入賞口の開口の大きさを調整する開閉部材の、図７の実施例１とは別の例である実施例９に係る開閉部材８２００の周辺構成を拡大して示す図であり、（ａ）は開閉部材８２００の周辺を正面（遊技者側）から見た正面図であり、（ｂ）は（ａ）の右斜め上から見た斜視図であり、（ｃ）は（ａ）の上方から見た平面図である。
【図１９】複数の入賞口の開口の大きさを調整する開閉部材の、図７の実施例１とは別の例である実施例１０に係る開閉部材９２００の周辺構成を拡大して示す図であって、開閉部材９２００の第１の状態を示す図であり、（ａ）は開閉部材９２００の周辺を正面（遊技者側）から見た正面図であり、（ｂ）は（ａ）の右斜め上から見た斜視図である。
【図２０】複数の入賞口の開口の大きさを調整する開閉部材の、図７の実施例１とは別の例である実施例１０に係る開閉部材９２００の周辺構成を拡大して示す図であって、開閉部材９２００の第２の状態を示す図であり、（ａ）は開閉部材９２００の周辺を正面（遊技者側）から見た正面図であり、（ｂ）は（ａ）の右斜め上から見た斜視図である。
【図２１】複数の入賞口の開口の大きさを調整する開閉部材の、図７の実施例１とは別の例である実施例１０に係る開閉部材９２００の周辺構成を拡大して示す図であって、開閉部材９２００の第３の状態を示す図であり、（ａ）は開閉部材９２００の周辺を正面（遊技者側）から見た正面図であり、（ｂ）は（ａ）の右斜め上から見た斜視図である。
【図２２】複数の入賞口の開口の大きさを調整する開閉部材の、図７の実施例１とは別の例である実施例１０に係る開閉部材９２００の周辺構成を拡大して示す図であって、開閉部材９２００の第４の状態を示す図であり、（ａ）は開閉部材９２００の周辺を正面（遊技者側）から見た正面図であり、（ｂ）は（ａ）の右斜め上から見た斜視図である。
【符号の説明】
【０２９６】
１００  パチンコ機
１０２  遊技盤
１０４  遊技領域
１１０  装飾図柄表示装置
１１２  普図表示装置
１１４  特図表示装置
１２２  一般入賞口
１２４  普図始動口
１２６  第１特図始動口
１２８  第２特図始動口
１２９  役物始動口
１３０  可変入賞口
１４８  操作ハンドル
１６１  主基板
１６２  電源基板
１６４  サブ基板
１６５  払出基板
１６６  発射基板
２００  開閉部材
２００ａ  スリット
２００ｂ  モータ
２００ｃ  伝達部材
２００ｄ  遮蔽部材
２００ｅ  遮蔽部材
３００  主制御部
３５０  演出制御部
４００  払出制御部
４５０  発射制御部
５００  電源制御部
１６０  センター役物
１６０ａ  枠部材
１６０ｂ  内部領域
６０１  開閉部材
６０３  回転体
６０４  Ｖ入賞口
６０５  アウト口
【図１】
2009050490.tif 000003
【図２】
2009050490.tif 000004
【図３】
2009050490.tif 000005
【図４】
2009050490.tif 000006
【図５】
2009050490.tif 000007
【図６】
2009050490.tif 000008
【図７】
2009050490.tif 000009
【図８】
2009050490.tif 000010
【図９】
2009050490.tif 000011
【図１０】
2009050490.tif 000012
【図１１】
2009050490.tif 000013
【図１２】
2009050490.tif 000014
【図１３】
2009050490.tif 000015
【図１４】
2009050490.tif 000016
【図１５】
2009050490.tif 000017
【図１６】
2009050490.tif 000018
【図１７】
2009050490.tif 000019
【図１８】
2009050490.tif 000020
【図１９】
2009050490.tif 000021
【図２０】
2009050490.tif 000022
【図２１】
2009050490.tif 000023
【図２２】
2009050490.tif 000024